(57)【要約】本開示のさまざまな態様は、一般的にワイヤレス通信に関連する。いくつかの態様において、ユーザ機器は、チャネル状態情報（ＣＳＩ）ペイロードを構築するのに使用される第２のランクとは無関係である第１のランクに少なくとも部分的に基づいて、ＣＳＩペイロードを送信するのに使用されることになる物理アップリンク制御チャネル（ＰＵＣＣＨ）リソースのセットを決定し、ＰＵＣＣＨリソースのセットからの１つ以上のリソースを使用して、ＣＳＩペイロードを基地局（ＢＳ）に送信してもよい。多数の他の態様が提供される。【選択図】図７
2021520727.tif 000002
【特許請求の範囲】
【請求項１】
ユーザ機器（ＵＥ）によって実行されるワイヤレス通信の方法において、
チャネル状態情報（ＣＳＩ）ペイロードを構築するのに使用される第２のランクとは無関係である第１のランクに少なくとも部分的に基づいて、前記ＣＳＩペイロードを送信するのに使用されることになる物理アップリンク制御チャネル（ＰＵＣＣＨ）リソースのセットを決定することと、
前記ＰＵＣＣＨリソースのセットからの１つ以上のリソースを使用して、前記ＣＳＩペイロードを基地局（ＢＳ）に送信することとを含む方法。
【請求項２】
前記第１のランクは、前記ＵＥのネットワークに関係付けられている仕様にしたがって予め定められている請求項１記載の方法。
【請求項３】
前記第１のランクは、前記第２のランクとは異なる請求項１記載の方法。
【請求項４】
前記ＣＳＩペイロードのサイズにかかわらず、前記第１のランクは、前記ＣＳＩペイロードの最大サイズ、または、前記ＣＳＩペイロードの最小サイズに対応する請求項１記載の方法。
【請求項５】
前記第１のランクは、前記ＣＳＩペイロードの最小サイズを表す請求項１記載の方法。
【請求項６】
前記ＣＳＩペイロードは、ＣＳＩ−部分１ペイロードとＣＳＩ−部分２ペイロードとを含む請求項１記載の方法。
【請求項７】
前記ＵＥは、
前記ＣＳＩペイロードのサイズが前記ＰＵＣＣＨリソースのセットの容量を超えることを決定するように構成され、
前記ＣＳＩペイロードのサイズが前記ＰＵＣＣＨリソースのセットの容量を超えることを決定することに少なくとも部分的に基づいて、前記ＣＳＩ−部分２ペイロードの１つ以上のブロックをドロップするように構成されている請求項６記載の方法。
【請求項８】
前記ＵＥは、
前記ＣＳＩペイロードのサイズが前記ＰＵＣＣＨリソースのセットの容量より小さいことを決定するように構成され、
前記ＣＳＩペイロードのサイズが前記ＰＵＣＣＨリソースのセットの容量より小さいことを決定することに少なくとも部分的に基づいて、前記ＣＳＩ−部分２ペイロードの１つ以上のブロックを前記ＣＳＩペイロードにコピーするように構成されている請求項６記載の方法。
【請求項９】
１つ以上のスケジューリング要求機会が前記ＣＳＩペイロードの送信の間に送信されることになるとき、前記ＣＳＩペイロードの一部分はスケジューリング要求を含む請求項１記載の方法。
【請求項１０】
前記スケジューリング要求のサイズは、前記ＣＳＩペイロードとオーバーラップする前記スケジューリング要求機会の数に少なくとも部分的に基づいている請求項９記載の方法。
【請求項１１】
前記スケジューリング要求を含む前記ＣＳＩペイロードの一部分は、１ビットである請求項９記載の方法。
【請求項１２】
前記スケジューリング要求を含む前記ＣＳＩペイロードの一部分は、前記１つ以上のスケジューリング要求機会の数に対応するビット数である請求項９記載の方法。
【請求項１３】
スケジューリング要求の１つ以上のビットは、前記１つ以上のリソース内で前記ＣＳＩペイロードと多重化される請求項１記載の方法。
【請求項１４】
ワイヤレス通信のためのユーザ機器（ＵＥ）において、
メモリと、
前記メモリに動作可能に結合されている１つ以上のプロセッサとを具備し、
前記メモリと前記１つ以上のプロセッサは、
チャネル状態情報（ＣＳＩ）ペイロードを構築するのに使用される第２のランクとは無関係である第１のランクに少なくとも部分的に基づいて、前記ＣＳＩペイロードを送信するのに使用されることになる物理アップリンク制御チャネル（ＰＵＣＣＨ）リソースのセットを決定し、
前記ＰＵＣＣＨリソースのセットからの１つ以上のリソースを使用して、前記ＣＳＩペイロードを基地局（ＢＳ）に送信するように構成されているＵＥ。
【請求項１５】
前記第１のランクは、前記第２のランクとは異なる請求項１４記載のＵＥ。
【請求項１６】
前記ＣＳＩペイロードのサイズにかかわらず、前記第１のランクは、前記ＣＳＩペイロードの最大サイズ、または、前記ＣＳＩペイロードの最小サイズに対応する請求項１４記載のＵＥ。
【請求項１７】
前記第１のランクは、前記ＣＳＩペイロードの最小サイズを表す請求項１４記載のＵＥ。
【請求項１８】
１つ以上のスケジューリング要求機会が前記ＣＳＩペイロードの送信の間に送信されることになるとき、前記ＣＳＩペイロードの一部分はスケジューリング要求を含む請求項１４記載のＵＥ。
【請求項１９】
前記スケジューリング要求のサイズは、前記ＣＳＩペイロードとオーバーラップする前記スケジューリング要求機会の数に少なくとも部分的に基づいている請求項１８記載のＵＥ。
【請求項２０】
スケジューリング要求の１つ以上のビットは、前記１つ以上のリソース内で前記ＣＳＩペイロードと多重化される請求項１４記載のＵＥ。
【請求項２１】
ワイヤレス通信のための１つ以上の命令を記憶している非一時的コンピュータ読取可能媒体において、
前記１つ以上の命令は、ユーザ機器（ＵＥ）の１つ以上のプロセッサによって実行されるとき、前記１つ以上のプロセッサに、
チャネル状態情報（ＣＳＩ）ペイロードを構築するのに使用される第２のランクとは無関係である第１のランクに少なくとも部分的に基づいて、前記ＣＳＩペイロードを送信するのに使用されることになる物理アップリンク制御チャネル（ＰＵＣＣＨ）リソースのセットを決定させ、
前記ＰＵＣＣＨリソースのセットからの１つ以上のリソースを使用させて、前記ＣＳＩペイロードを基地局（ＢＳ）に送信させる１つ以上の命令を含む非一時的コンピュータ読取可能媒体。
【請求項２２】
前記第１のランクは、前記第２のランクとは異なる請求項２１記載の非一時的コンピュータ読取可能媒体。
【請求項２３】
前記ＣＳＩペイロードのサイズにかかわらず、前記第１のランクは、前記ＣＳＩペイロードの最大サイズ、または、前記ＣＳＩペイロードの最小サイズに対応する請求項２１記載の非一時的コンピュータ読取可能媒体。
【請求項２４】
前記第１のランクは、前記ＣＳＩペイロードの最小サイズを表す請求項２１記載の非一時的コンピュータ読取可能媒体。
【請求項２５】
１つ以上のスケジューリング要求機会が前記ＣＳＩペイロードの送信の間に送信されることになるとき、前記ＣＳＩペイロードの一部分はスケジューリング要求を含む請求項２１記載の非一時的コンピュータ読取可能媒体。
【請求項２６】
前記スケジューリング要求のサイズは、前記ＣＳＩペイロードとオーバーラップする前記スケジューリング要求機会の数に少なくとも部分的に基づいている請求項２５記載の非一時的コンピュータ読取可能媒体。
【請求項２７】
スケジューリング要求の１つ以上のビットは、前記１つ以上のリソース内で前記ＣＳＩペイロードと多重化される請求項２１記載の非一時的コンピュータ読取可能媒体。
【請求項２８】
ワイヤレス通信のための装置において、
チャネル状態情報（ＣＳＩ）ペイロードを構築するのに使用される第２のランクとは無関係である第１のランクに少なくとも部分的に基づいて、前記ＣＳＩペイロードを送信するのに使用されることになる物理アップリンク制御チャネル（ＰＵＣＣＨ）リソースのセットを決定する手段と、
前記ＰＵＣＣＨリソースのセットからの１つ以上のリソースを使用して、前記ＣＳＩペイロードを基地局（ＢＳ）に送信する手段とを具備する装置。
【請求項２９】
前記第１のランクは、前記第２のランクとは異なる請求項２８記載の装置。
【請求項３０】
前記ＣＳＩペイロードのサイズにかかわらず、前記第１のランクは、前記ＣＳＩペイロードの最大サイズ、または、前記ＣＳＩペイロードの最小サイズに対応する請求項２８記載の装置。
【請求項３１】
前記第１のランクは、前記ＣＳＩペイロードの最小サイズを表す請求項２８記載の装置。
【請求項３２】
１つ以上のスケジューリング要求機会が前記ＣＳＩペイロードの送信の間に送信されることになるとき、前記ＣＳＩペイロードの一部分はスケジューリング要求を含む請求項２８記載の装置。
【請求項３３】
前記スケジューリング要求のサイズは、前記ＣＳＩペイロードとオーバーラップする前記スケジューリング要求機会の数に少なくとも部分的に基づいている請求項３２記載の装置。
【請求項３４】
スケジューリング要求の１つ以上のビットは、前記１つ以上のリソース内で前記ＣＳＩペイロードと多重化される請求項２８記載の装置。
【発明の詳細な説明】
【米国特許法第１１９条に基づく関連出願への相互参照】
【０００１】
［０００１］
本出願は、「チャネル状態情報に対する物理アップリンク制御チャネル（ＰＵＣＣＨ）リソースの選択ための技術および装置」と題された、２０１８年４月６日に出願された、米国仮特許出願番号第６２／６５４，２８７号、および、「チャネル状態情報に対する物理アップリンク制御チャネル（ＰＵＣＣＨ）リソースの選択」と題された、２０１９年３月２９日に出願された米国非仮特許出願第１６／３７０，５９６号に対する優先権を主張し、これらは、参照によりここに明示的に組み込まれている。
【開示の分野】
【０００２】
［０００２］
本開示の態様は、一般的にワイヤレス通信に関連し、より具体的には、チャネル状態情報に対する物理アップリンク制御チャネル（ＰＵＣＣＨ）リソースを選択するための技術および装置に関連する。
【背景】
【０００３】
［０００３］
ワイヤレス通信システムは、電話、ビデオ、データ、メッセージング、および、ブロードキャストのようなさまざまな電気通信サービスを提供するために広く配備されている。典型的なワイヤレス通信システムは、（例えば、帯域幅および送信電力等のような）利用可能なシステムリソースを共有することによって複数のユーザとの通信をサポートすることができる多元接続テクノロジーを用いるかもしれない。このような多元接続テクノロジーの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割同期コード分割多元接続（ＴＤ−ＳＣＤＭＡ）システム、および、ロングタームエボリューション（ＬＴＥ（登録商標））を含んでいる。ＬＴＥ／ＬＴＥアドバンストは、第３世代パートナーシッププロジェクト（３ＧＰＰ（登録商標））によって公表されたユニバーサル移動体電気通信システム（ＵＭＴＳ）の移動体標準規格への拡張のセットである。
【０００４】
［０００４］
ワイヤレス通信ネットワークは、多数のユーザ機器（ＵＥ）のための通信をサポートすることができる多数の基地局（ＢＳ）を含んでいるかもしれない。ユーザ機器（ＵＥ）は、ダウンリンクおよびアップリンクを介して、基地局（ＢＳ）と通信するかもしれない。ダウンリンク（または、フォワードリンク）は、ＢＳからＵＥへの通信リンクを指し、アップリンク（または、リバースリンク）は、ＵＥからＢＳへの通信リンクを指している。ここでより詳細に説明するように、ＢＳは、ノードＢ、ｇＮＢ、アクセスポイント（ＡＰ）、無線ヘッド、送受信ポイント（ＴＲＰ）、新たな無線（ＮＲ）ＢＳ、５ＧノードＢ、および／または、これらに類するものとして呼ばれることがある。
【０００５】
［０００５］
上記の多元接続テクノロジーは、異なるユーザ機器が市区町村レベル、国レベル、地域レベル、さらにはグローバルレベルで通信できるようにする共通のプロトコルを提供するために、さまざまな電気通信標準規格に採用されている。５Ｇとしても呼ばれることがある新たな無線（ＮＲ）は、第３世代パートナーシッププロジェクト（３ＧＰＰ）によって公表されたＬＴＥ移動体標準規格に対する拡張のセットである。ＮＲは、スペクトル効率を改善することと、コストを下げることと、サービスを改善することと、新たなスペクトルを使用することと、ダウンリンク（ＤＬ）でサイクリックプリフィックス（ＣＰ）を有する直交周波数分割多重化（ＯＦＤＭＡ）（ＣＰ−ＯＦＤＭ）を使用し、アップリンク（ＵＬ）上で（例えば、離散フーリエ変換拡散ＯＦＤＭ（ＤＦＴ−ｓ−ＯＦＤＭ）としても知られている）ＣＰ−ＯＦＤＭおよび／またはＳＣ−ＦＤＭを使用して、他のオープン標準規格とより良く統合するとともに、ビーム形成、複数入力複数出力（ＭＩＭＯ）アンテナテクノロジー、および、搬送波アグリゲーションをサポートすることにより、移動体ブロードバンドインターネットアクセスをより良くサポートするように設計されている。しかしながら、移動体ブロードバンドアクセスのための需要が増え続けると、ＬＴＥおよびＮＲテクノロジーにおけるさらなる改善に対する必要性が存在する。好ましくは、これらの改善は、これらのテクノロジーを用いる他の多元接続テクノロジーと電気通信標準規格とに適用可能であるべきである。
【概要】
【０００６】
［０００６］
いくつかの態様において、ユーザ機器（ＵＥ）によって実行される、ワイヤレス通信のための方法は、チャネル状態情報（ＣＳＩ）ペイロードを構築するのに使用される第２のランクとは無関係である第１のランクに少なくとも部分的に基づいて、ＣＳＩペイロードを送信するのに使用されることになる物理アップリンク制御チャネル（ＰＵＣＣＨ）リソースのセットを決定することと、ＰＵＣＣＨリソースのセットからの１つ以上のリソースを使用して、ＣＳＩペイロードを基地局（ＢＳ）に送信することとを含んでいてもよい。
【０００７】
［０００７］
いくつかの態様では、ワイヤレス通信のためのＵＥは、メモリと、メモリに動作可能に結合されている１つ以上のプロセッサとを含んでいてもよい。１つ以上のプロセッサは、ＣＳＩペイロードを構築するのに使用される第２のランクとは無関係である第１のランクに少なくとも部分的に基づいて、ＣＳＩペイロードを送信するのに使用されることになるＰＵＣＣＨリソースのセットを決定し、ＰＵＣＣＨリソースのセットからの１つ以上のリソースを使用して、ＣＳＩペイロードをＢＳに送信するように構成されていてもよい。
【０００８】
［０００８］
いくつかの態様では、非一時的コンピュータ読取可能媒体は、ワイヤレス通信のための１つ以上の命令を記憶していてもよい。１つ以上の命令は、ＵＥの１つ以上のプロセッサによって実行されるとき、１つ以上のプロセッサに、ＣＳＩペイロードを構築するのに使用される第２のランクとは無関係である第１のランクに少なくとも部分的に基づいて、ＣＳＩペイロードを送信するのに使用されることになるＰＵＣＣＨリソースのセットを決定させ、ＰＵＣＣＨリソースのセットからの１つ以上のリソースを使用させて、ＣＳＩペイロードをＢＳに送信させてもよい。
【０００９】
［０００９］
いくつかの態様において、ワイヤレス通信のための装置は、ＣＳＩペイロードを構築するのに使用される第２のランクとは無関係である第１のランクに少なくとも部分的に基づいて、ＣＳＩペイロードを送信するのに使用されることになるＰＵＣＣＨリソースのセットを決定する手段と、ＰＵＣＣＨリソースのセットからの１つ以上のリソースを使用して、ＣＳＩペイロードをＢＳに送信する手段とを含んでいてもよい。
【００１０】
［００１０］
いくつかの態様において、ユーザ機器（ＵＥ）によって実行されるワイヤレス通信のための方法は、チャネル状態情報（ＣＳＩ）ペイロードを構築するためのパラメータに少なくとも部分的に基づいて、ＣＳＩペイロードを送信するのに使用されることになるかもしれない物理アップリンク制御チャネル（ＰＵＣＣＨ）リソースのセットを決定することと、ＰＵＣＣＨリソースのセットからの１つ以上のリソースを使用して、ＣＳＩペイロードを基地局（ＢＳ）に送信することとを含んでいてもよい。
【００１１】
［００１１］
いくつかの態様では、ワイヤレス通信のためのユーザ機器は、ＣＳＩペイロードを構築するためのパラメータに少なくとも部分的に基づいて、ＣＳＩペイロードを送信するのに使用されることになるかもしれないＰＵＣＣＨリソースのセットを決定し、ＰＵＣＣＨリソースのセットからの１つ以上のリソースを使用して、ＣＳＩペイロードをＢＳに送信するように構成されている１つ以上のプロセッサを含んでいてもよい。
【００１２】
［００１２］
いくつかの態様では、非一時的コンピュータ読取可能媒体は、ワイヤレス通信のための１つ以上の命令を記憶していてもよい。１つ以上の命令は、ユーザ機器の１つ以上のプロセッサによって実行されるとき、１つ以上のプロセッサに、ＣＳＩペイロードを構築するためのパラメータに少なくとも部分的に基づいて、ＣＳＩペイロードを送信するのに使用されることになるかもしれないＰＵＣＣＨリソースのセットを決定させ、ＰＵＣＣＨリソースのセットからの１つ以上のリソースを使用させて、ＣＳＩペイロードをＢＳに送信させてもよい。
【００１３】
［００１３］
いくつかの態様では、ワイヤレス通信のための装置は、ＣＳＩペイロードを構築するためのパラメータに少なくとも部分的に基づいて、ＣＳＩペイロードを送信するのに使用されることになるかもしれないＰＵＣＣＨリソースのセットを決定する手段と、ＰＵＣＣＨリソースのセットからの１つ以上のリソースを使用して、ＣＳＩペイロードをＢＳに送信する手段とを含んでいてもよい。
【００１４】
［００１４］
いくつかの態様では、ＢＳによって実行されるワイヤレス通信のための方法は、ＵＥからＣＳＩペイロードを受信するのに使用されることになるＰＵＣＣＨリソースのセットを表すパラメータを識別することと、ＣＳＩペイロードは、ＣＳＩ−部分１ペイロードとＣＳＩ−部分２ペイロードとを含み、ＰＵＣＣＨリソースのセットの１つ以上のリソースを介して、ＣＳＩペイロードを受信することと、ＣＳＩ−部分１ペイロードのインジケータに少なくとも部分的に基づいて、ＣＳＩペイロードのサイズを決定することと、ＣＳＩペイロードのサイズに少なくとも部分的に基づいて、ＣＳＩペイロードをデコードすることとを含んでいてもよい。
【００１５】
［００１５］
いくつかの態様では、ワイヤレス通信のための基地局は、ＵＥからＣＳＩペイロードを受信するのに使用されることになるＰＵＣＣＨリソースのセットを表すパラメータを識別し、ＣＳＩペイロードは、ＣＳＩ−部分１ペイロードとＣＳＩ−部分２ペイロードとを含み、ＰＵＣＣＨリソースのセットの１つ以上のリソースを介して、ＣＳＩペイロードを受信し、ＣＳＩ−部分１ペイロードのインジケータに少なくとも部分的に基づいて、ＣＳＩペイロードのサイズを決定し、ＣＳＩペイロードのサイズに少なくとも部分的に基づいて、ＣＳＩペイロードをデコードするように構成されている１つ以上のプロセッサを含んでいてもよい。
【００１６】
［００１６］
いくつかの態様では、非一時的コンピュータ読取可能媒体は、ワイヤレス通信のための１つ以上の命令を記憶していてもよい。１つ以上の命令は、基地局の１つ以上のプロセッサによって実行されるとき、１つ以上のプロセッサに、ＵＥからＣＳＩペイロードを受信するのに使用されることになるＰＵＣＣＨリソースのセットを表すパラメータを識別させ、ＣＳＩペイロードは、ＣＳＩ−部分１ペイロードとＣＳＩ−部分２ペイロードとを含み、ＰＵＣＣＨリソースのセットの１つ以上のリソースを介して、ＣＳＩペイロードを受信させ、ＣＳＩ−部分１ペイロードのインジケータに少なくとも部分的に基づいて、ＣＳＩペイロードのサイズを決定させ、ＣＳＩペイロードのサイズに少なくとも部分的に基づいて、ＣＳＩペイロードをデコードさせてもよい。
【００１７】
［００１７］
いくつかの態様では、ワイヤレス通信のための装置は、ＵＥからＣＳＩペイロードを受信するのに使用されることになるＰＵＣＣＨリソースのセットを表すパラメータを識別する手段と、ＣＳＩペイロードは、ＣＳＩ−部分１ペイロードとＣＳＩ−部分２ペイロードとを含み、ＰＵＣＣＨリソースのセットの１つ以上のリソースを介して、ＣＳＩペイロードを受信する手段と、ＣＳＩ−部分１ペイロードのインジケータに少なくとも部分的に基づいて、ＣＳＩペイロードのサイズを決定する手段と、ＣＳＩペイロードのサイズに少なくとも部分的に基づいて、ＣＳＩペイロードをデコードする手段とを含んでいてもよい。
【００１８】
［００１８］
態様は、一般的に、添付の図面を参照してここで実質的に説明し、添付の図面によって図示されているような、方法、装置、システム、コンピュータプログラム製品、非一時的コンピュータ読取可能媒体、ユーザ機器、基地局、ワイヤレス通信デバイス、および、処理システムを含んでいる。
【００１９】
［００１９］
前述は、以下の詳細な説明がより良く理解されるように、本開示にしたがう例の特徴および技術的利点をむしろ広く概説している。追加の特徴および利点は、以下に説明する。本開示と同じ目的を実行する他の構造を修正または設計するためのベースとして、開示する概念および特定の例を容易に利用してもよい。このような均等な構造は、添付の特許請求の範囲の範囲から逸脱しない。ここで説明する概念の特性、それらの構成および動作の方法の両方、ならびに、関係付けられている利点は、添付の図に関連して考慮されたとき、以下の説明からより良く理解されるだろう。図のそれぞれは、例示および説明の目的のために提供されており、特許請求の範囲の限定の定義として提供されているものではない。
【図面の簡単な説明】
【００２０】
［００２０］
本開示の先に記載した特徴を詳細に理解できるように、上で簡単に要約されたもののより特定の説明が態様への参照によって得られてもよく、態様のうちのいくつかは、添付した図面に図示されている。しかしながら、添付した図面はこの開示のある典型的な態様を図示しているに過ぎず、したがって、説明が他の同様に有効な諸態様を許すことから、その範囲を限定するものとして解釈すべきでないことに留意すべきである。異なる図面における同じ参照番号は、同じまたは同様の要素を識別しているかもしれない。
【図１】［００２１］  図１は、本開示のさまざまな態様にしたがう、ワイヤレス通信ネットワークの例を概念的に図示するブロックダイヤグラムである。
【図２】［００２２］  図２は、本開示のさまざまな態様にしたがう、ワイヤレス通信ネットワーク中でユーザ機器（ＵＥ）と通信する基地局の例を概念的に図示するブロックダイヤグラムである。
【図３Ａ】［００２３］  図３Ａは、本開示のさまざまな態様にしたがう、ワイヤレス通信ネットワーク中のフレーム構造の例を概念的に図示するブロックダイヤグラムである。
【図３Ｂ】［００２４］  図３Ｂは、本開示のさまざまな態様にしたがう、ワイヤレス通信ネットワーク中の例示的な同期通信階層を概念的に図示するブロックダイヤグラムである。
【図４】［００２５］  図４は、本開示のさまざまな態様にしたがう、ノーマルサイクリックプリフィックスを有する例示的なサブフレームフォーマットを概念的に図示するブロックダイヤグラムである。
【図５】［００２６］  図５は、本開示のさまざまな態様にしたがう、ダウンリンク（ＤＬ）中心サブフレームの例を図示するダイヤグラムである。
【図６】［００２７］  図６は、本開示のさまざまな態様にしたがう、アップリンク（ＵＬ）中心サブフレームの例を図示するダイヤグラムである。
【図７】［００２８］  図７は、本開示のさまざまな態様にしたがう、チャネル状態情報に対する物理アップリンク制御チャネル（ＰＵＣＣＨ）リソースを選択する例を図示するダイヤグラムである。
【図８】図８は、本開示のさまざまな態様にしたがう、チャネル状態情報に対する物理アップリンク制御チャネル（ＰＵＣＣＨ）リソースを選択する例を図示するダイヤグラムである。
【図９】図９は、本開示のさまざまな態様にしたがう、チャネル状態情報に対する物理アップリンク制御チャネル（ＰＵＣＣＨ）リソースを選択する例を図示するダイヤグラムである。
【図１０】［００２９］  図１０は、本開示のさまざまな態様にしたがう、例えば、ユーザ機器によって実行される例示的なプロセスを図示するダイヤグラムである。
【図１１】［００３０］  図１１は、本開示のさまざまな態様にしたがう、例えば、基地局によって実行される例示的なプロセスを図示するダイヤグラムである。
【図１２】［００３１］  図１２は、本開示のさまざまな態様にしたがう、例えば、ユーザ機器によって実行される別の例示的なプロセスを図示するダイヤグラムである。
【詳細な説明】
【００２１】
［００３２］
多くの事例では、物理アップリンク制御チャネル（ＰＵＣＣＨ）リソースの複数のセットは、ユーザ機器（ＵＥ）がアップリンク制御情報（ＵＣＩ）を基地局（ＢＳ）に通信できるように構成されていてもよい。ＵＣＩは、ＢＳからＵＥへのダウンリンク通信のために使用されるチャネルの品質を示すチャネル状態情報（ＣＳＩ）を含んでいてもよい。このようなケースでは、ＵＥは、ＣＳＩペイロードのサイズに基づいて、ＣＳＩを送信するためのＰＵＣＣＨリソースの複数のセットのうちの１つを選択する。ＣＳＩペイロードは、ＣＳＩ−部分１ペイロードとＣＳＩ−部分２ペイロードとを含んでいてもよい。このようなケースでは、ＣＳＩペイロードのサイズは、固定されているかもしれないＣＳＩ−部分１ペイロードのサイズと、ダウンリンクチャネルの複数入力複数出力（ＭＩＭＯ）レイヤのチャネル品質にしたがって変化するかもしれないＣＳＩ−部分２ペイロードのサイズとに依存する。したがって、以前の技術では、ＵＥは、ダウンリンクの品質に基づいて、ＣＳＩペイロードのサイズを構築するかもしれない。したがって、以前の技術では、ＣＳＩペイロードのサイズが変化し、したがって、ＣＳＩを送信するためにＵＥによって使用されるＰＵＣＣＨリソースのセット（または、ＰＵＣＣＨリソースのセットのサイズ）は変化することがある。したがって、ＢＳはＣＳＩペイロードのサイズの表示を有さないことから、ＢＳには、ＰＵＣＣＨリソースの複数のセットのうちのどれが使用されることになるのか、または、ＣＳＩを受信するのに使用されることになるＰＵＣＣＨリソースのセットのサイズが通知されないかもしれない。
【００２２】
［００３３］
ここで説明するいくつかの態様は、ＰＵＣＣＨリソースのどのセットが使用されることになるかを決定するために、または、ＣＳＩペイロードを送信および／または受信するために使用されることになるＰＵＣＣＨリソースのサイズを決定するために、ＵＥおよびＢＳによって使用されることになる１つ以上のパラメータを構成する。ＢＳは、パラメータに基づいて、ＰＵＣＣＨリソースのどのセットがＣＳＩを含み、ＰＵＣＣＨリソースのどのセットがＣＳＩを受信するためにデコードされることになるかを識別してもよい。いくつかの態様では、ＢＳは、ＣＳＩペイロードを送るためにＵＥによって使用されるかもしれないパラメータの利用可能なセットにしたがって、すべての可能性あるリソース（または、リソースのセットのコンフィギュレーション）を監視してもよい。いくつかの態様では、（例えば、ＣＳＩペイロードのサイズにかかわらず）ＵＥがＣＳＩペイロードを送信し、ＢＳがペイロードを受信するために、（例えば、ＢＳおよびＵＥに関係付けられているネットワークの仕様にしたがって）予め定められているパラメータを構成してもよい。したがって、ＢＳおよびＵＥは、ＣＳＩを通信するように同期して構成されていてもよい。結果として、ＢＳが、ＣＳＩに対するＰＵＣＣＨのすべてのリソースを監視することの、および／または、ＣＳＩを識別するためにＰＵＣＣＨのリソースの複数のセットをデコードすることの必要性を回避することによって、ＢＳの処理リソースを節約することができる。
【００２３】
［００３４］
さらに、いくつかの事例では、ＣＳＩペイロードの送信の間に生じるように、スケジューリング要求（ＳＲ）機会をスケジューリングしてもよい。以前の技術では、ＳＲが送信されることを可能にするために、ＣＳＩペイロードがドロップされるかもしれない。ここで説明するいくつかの態様にしたがうと、ＵＥがＣＳＩペイロードを送信することに関係付けて、ＳＲを扱ってもよい。例えば、ＵＥは、ＳＲ機会がＣＳＩペイロードを送信することと整列するとき、ＳＲとＣＳＩペイロードとのジョイントエンコーディングを実行してもよい。追加的にまたは代替的に、ＵＥは、ＣＳＩペイロードをＳＲと多重化して、ＵＣＩに入れてもよい。したがって、ここで説明するいくつかの態様は、ＳＲ通信をＣＳＩ通信と組み合わせることによって、ネットワークリソースを節約するかもしれない。
【００２４】
［００３５］
添付図面を参照して、本開示のさまざまな態様を以下により詳細に説明する。しかしながら、この開示は多くの異なる形態で具現化でき、この開示全体を通して提示されているいずれかの特定の構造または機能に限定されるものと解釈すべきではない。むしろ、この開示が、徹底して完全なものになるように、そして、本開示の範囲を当業者に十分に伝えるために、これらの態様が提供されている。ここでの教示に基づいて、本開示の他の何らかの態様から独立して、または、本開示の他の何らかの態様と組み合わせて、実現されるか否かにかかわらず、本開示の範囲が、ここで開示されている本開示の任意の態様をカバーするように意図されていることを、当業者は認識すべきである。例えば、ここで述べる任意の数の態様を使用して、装置を実現してもよく、または、方法を実施してもよい。さらに、ここで述べる本開示のさまざまな態様に加えて、または、ここで述べる開示のさまざまな態様以外の、他の構造を、機能性を、または、構造および機能性を使用して実施されるこのような装置または方法をカバーすることを、本開示の範囲は意図している。ここに開示されている本開示の任意の態様は、請求項の１つ以上の要素によって具現化してもよいことを理解すべきである。
【００２５】
［００３６］
さまざまな装置および技術を参照して、電気通信システムのいくつかの態様を提示する。これらの装置および技術は、以下の詳細な説明において記述され、添付の図面において、さまざまなブロック、モジュール、コンポーネント、回路、ステップ、プロセス、アルゴリズム等（集合的には「要素」として呼ばれる）により図示されている。これらの要素は、ハードウェア、ソフトウェア、または、これらの組み合わせを使用して実現してもよい。このような要素がハードウェアまたはソフトウェアとして実現されるかは、システム全体に課せられている特定のアプリケーションおよび設計の制約に依存する。
【００２６】
［００３７］
３Ｇおよび／または４Ｇワイヤレステクノロジーに共通して関係付けられている専門用語を使用して、ここでは態様を説明しているが、本開示の態様は、ＮＲテクノロジーを含む、５Ｇおよびその後のもののような、他世代ベースの通信システムに適用することができることに留意すべきである。
【００２７】
［００３８］
図１は、本開示の態様を実施してもよいネットワーク１００を図示しているダイヤグラムである。ネットワーク１００は、ＬＴＥネットワーク、あるいは、５ＧまたはＮＲネットワークのような他の何らかのワイヤレスネットワークであってもよい。ワイヤレスネットワーク１００は、（ＢＳ１１０ａ、ＢＳ１１０ｂ、ＢＳ１１０ｃ、および、ＢＳ１１０ｄとして示されている）多数のＢＳ１１０と、他のネットワークエンティティとを含んでいてもよい。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）、および／または、これらに類するものとして呼ばれることもある。各ＢＳは、特定の地理的エリアのための通信カバレッジを提供していてもよい。３ＧＰＰにおいて、用語「セル」は、用語が使用される文脈に依存して、ＢＳのカバレッジエリア、および／または、このカバレッジエリアを担当しているＢＳサブシステムのことを指すことがある。
【００２８】
［００３９］
ＢＳは、マクロセル、ピコセル、フェムトセル、および／または、別のタイプのセルに対する通信カバレッジを提供していてもよい。マクロセルは、比較的大きい地理エリア（例えば、半径数キロメートル）をカバーし、サービス加入を有するＵＥによる無制限のアクセスを可能にしていてもよい。ピコセルは、比較的狭い地理エリアをカバーし、サービス加入を有するＵＥによる無制限のアクセスを可能にしていてもよい。フェムトセルは、比較的小さい地理エリア（例えば、家）をカバーし、フェムトセルとの関係を有するＵＥ（例えば、閉じられた加入者グループ（ＣＳＧ）中のＵＥ）による制限されたアクセスを可能にしていてもよい。マクロセルに対するＢＳは、マクロＢＳとして呼ばれることがある。ピコセルに対するＢＳは、ピコＢＳとして呼ばれることがある。フェムトセルに対するＢＳは、フェムトＢＳまたはホームＢＳとして呼ばれることがある。図１中に示されている例において、ＢＳ１１０ａは、マクロセル１０２ａに対するマクロＢＳであってもよく、ＢＳ１１０ｂは、ピコセル１０２ｂに対するピコＢＳであってもよく、ＢＳ１１０ｃは、フェムトセル１０２ｃに対するフェムトＢＳであってもよい。ＢＳは、１つ以上（例えば、３つ）のセルをサポートしていてもよい。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、ここでは交換可能に使用されているかもしれない。
【００２９】
［００４０］
いくつかの例において、セルは、必ずしも静的でなくてもよく、セルの地理的エリアは、移動体ＢＳのロケーションにしたがって移動してもよい。いくつかの例では、直接的な物理接続、仮想ネットワーク、または、任意の適切な伝送ネットワークを使用する同様のもののような、さまざまなタイプのバックホールインターフェースを通して、ＢＳは、アクセスネットワーク１００中で、互いに、ならびに／あるいは、１つ以上の他のＢＳに、または、（示していない）ネットワークノードに相互接続していてもよい。
【００３０】
［００４１］
ワイヤレス通信ネットワーク１００は、中継局も含んでいてもよい。中継局は、アップストリーム局（例えば、ＢＳまたはＵＥ）からのデータの送信を受信でき、ダウンストリーム局（例えば、ＵＥまたはＢＳ）へのデータの送信を送ることができるエンティティである。中継局はまた、他のＵＥに対する送信を中継できるＵＥであってもよい。図１中に示されている例において、中継局１１０ｄは、ＢＳ１１０ａとＵＥ１２０ｄとの間の通信を促進するために、マクロＢＳ１１０ａおよびＵＥ１２０ｄと通信してもよい。中継局は、中継ＢＳ、中継基地局、中継器等として呼ばれることもある。
【００３１】
［００４２］
ワイヤレスネットワーク１００は、異なるタイプのＢＳ、例えば、マクロＢＳ、ピコＢＳ、フェムトＢＳ、中継ＢＳ等を含む、ヘテロジニアスネットワークであってもよい。これらの異なるタイプのＢＳは、ワイヤレスネットワーク１００において、異なる送信電力レベル、異なるカバレッジエリア、および、干渉に対する異なる影響を有しているかもしれない。例えば、マクロＢＳは、高い送信電力レベル（例えば、５から４０ワット）を有しているかもしれない一方で、ピコＢＳ、フェムトＢＳ、および、中継ＢＳは、より低い送信電力レベル（例えば、０．１から２ワット）を有しているかもしれない。
【００３２】
［００４３］
ネットワーク制御装置１３０は、ＢＳのセットに結合されていてもよく、これらのＢＳに対する調整および制御を提供してもよい。ネットワーク制御装置１３０は、バックホールを介して、ＢＳと通信してもよい。ＢＳはまた、例えば、ワイヤレスまたはワイヤラインのバックホールを介して、直接的にまたは間接的に、互いに通信してもよい。
【００３３】
［００４４］
ＵＥ１２０（例えば、１２０ａ、１２０ｂ、１２０ｃ）は、ワイヤレスネットワーク１００全体を通して分散していてもよく、各ＵＥは、静的または移動性であってもよい。ＵＥは、アクセス端末、端末、移動局、加入者ユニット、局等としても呼ばれることがある。ＵＥは、セルラ電話機（スマートフォン）、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、カメラ、ゲーミングデバイス、ネットブック、スマートブック、ウルトラブック、医療デバイスまたは医療機器、生体センサ／デバイス、ウェアラブルデバイス（スマートウォッチや、スマートクロージングや、スマートグラスや、スマートリストバンドや、スマートジュエリー（例えば、スマートリング、スマートブレスレット））、エンターテイメントデバイス（例えば、音楽またはビデオデバイス、あるいは、衛星ラジオ）、車両コンポーネントまたはセンサ、スマートメーター／センサ、産業製造機器、グローバルポジショニングシステムデバイス、あるいは、ワイヤレスまたはワイヤード媒体を介して通信するように構成されている他の何らかの適切なデバイスであってもよい。
【００３４】
［００４５］
いくつかのＵＥは、マシンタイプ通信（ＭＴＣ）、あるいは、発展型または拡張マシンタイプ通信（ｅＭＴＣ）ＵＥと見なしてもよい。ＭＴＣまたはｅＭＴＣ  ＵＥは、基地局、別のデバイス（例えば、遠隔デバイス）、または、他の何らかのエンティティと通信してもよい、例えば、ロボット、ドローン、遠隔デバイス、センサ、メーター、モニタ、ロケーションタグ等を含んでいる。ワイヤレスノードは、例えば、ワイヤードまたはワイヤレス通信リンクを介して、ネットワーク（例えば、インターネットまたはセルラネットワークのようなワイドエリアネットワーク）のための接続性を、あるいは、ネットワークへの接続性を提供してもよい。いくつかのＵＥをインターネットオブシングス（ＩｏＴ）デバイスと見なしてもよく、および／または、ＮＢ−ＩｏＴ（狭帯域インターネットオブシングス）デバイスとして実現してもよい。いくつかのＵＥは、顧客構内機器（ＣＰＥ）と見なしてもよい。ＵＥ１２０は、プロセッサコンポーネント、メモリコンポーネント、および／または、これらに類するもののような、ＵＥ１２０のコンポーネントを収容するハウジング内に含まれていてもよい。
【００３５】
［００４６］
一般的に、任意の数のワイヤレスネットワークを所定の地理的エリアに配備してもよい。各ワイヤレスネットワークは、特定のＲＡＴをサポートしてもよく、１つ以上の周波数で動作してもよい。ＲＡＴはまた、無線テクノロジー、エアインターフェース等として呼ばれることがある。周波数はまた、搬送波、周波数チャネル等として呼ばれることがある。各周波数は、異なるＲＡＴのワイヤレスネットワーク間の干渉を避けるために、所定の地理的エリアにおいて単一のＲＡＴをサポートしていてもよい。いくつかのケースでは、ＮＲまたは５Ｇ  ＲＡＴネットワークを配備してもよい。
【００３６】
［００４７］
いくつかの例では、エアインターフェースへのアクセスがスケジューリングされてもよく、スケジューリングエンティティ（例えば、基地局）は、スケジューリングエンティティのサービスエリアまたはセル内の、いくつかのまたはすべてのデバイスおよび機器間での通信のためのリソースを割り振る。本開示内では、以下でさらに議論するように、スケジューリングエンティティは、１つ以上の下位エンティティに対するリソースを、スケジューリングし、割り当て、再構成し、解放することを担っていてもよい。すなわち、スケジューリングされた通信に対して、下位エンティティは、スケジューリングエンティティによって割り振られるリソースを利用する。
【００３７】
［００４８］
基地局は、スケジューリングエンティティとして機能するかもしれない唯一のエンティティではない。すなわち、いくつかの例では、ＵＥは、１つ以上の下位エンティティ（例えば、１つ以上の他のＵＥ）のためのリソースをスケジューリングするスケジューリングエンティティとして機能してもよい。この例では、ＵＥはスケジューリングエンティティとして機能し、他のＵＥは、ワイヤレス通信のためにＵＥによってスケジューリングされるリソースを利用する。ＵＥは、ピアツーピア（Ｐ２Ｐ）ネットワークにおいて、および／または、メッシュネットワークにおいて、スケジューリングエンティティとして機能してもよい。メッシュネットワークの例では、ＵＥは、スケジューリングエンティティと通信することに加えて、オプション的に、互いに直接通信してもよい。
【００３８】
［００４９］
したがって、時間周波数リソースへのスケジューリングされたアクセスを有し、そして、セルラコンフィギュレーション、Ｐ２Ｐコンフィギュレーション、および、メッシュコンフィギュレーションを有するワイヤレス通信ネットワークにおいて、スケジューリングエンティティおよび１つ以上の下位エンティティは、スケジューリングされたリソースを利用して通信してもよい。
【００３９】
［００５０］
いくつかの態様では、（例えば、ＵＥ１２０ａおよびＵＥ１２０ｅとして示されている）２つ以上のＵＥ１２０は、（例えば、互いに通信するための媒介として基地局１１０を使用せずに）１つ以上のサイドリンクチャネルを使用して、直接通信してもよい。例えば、ＵＥ１２０は、ピアツーピア（Ｐ２Ｐ）通信、デバイスツーデバイス（Ｄ２Ｄ）通信、ビークルツーエブリシング（Ｖ２Ｘ）プロトコル（例えば、これは、ビークルツービークル（Ｖ２Ｖ）プロトコル、ビークルツーインフラストラクチャ（Ｖ２Ｉ）プロトコル、および／または、これらに類するものを含んでいてもよい）、メッシュネットワーク、および／または、これらに類するものを使用して通信してもよい。このケースでは、ＵＥ１２０は、スケジューリング動作、リソース選択動作、および／または、基地局１１０によって実行されるものとしてここでの他の箇所で説明する他の動作を実行してもよい。
【００４０】
［００５１］
いくつかの態様では、ここで説明する、ネットワーク１００の１つ以上のＵＥ１２０および／または１つ以上の基地局１１０は、仕様にしたがって通信および／または動作してもよい。例示的な仕様は、ＰＵＣＣＨリソースのどのセットがＣＳＩペイロードを含むことになるかを決定するための１つ以上のパラメータを識別してもよい。いくつかの態様では、ＣＳＩペイロードを含むＰＵＣＣＨリソース、および／または、ＣＳＩペイロード自体が、ＳＲを含んでいてもよい。
【００４１】
［００５２］
上述したように、図１は単なる例として提供される。他の例は、図１に関して説明したものと異なっていてもよい。
【００４２】
［００５３］
図２は、基地局１１０およびＵＥ１２０の設計２００のブロックダイヤグラムを示し、これらは、図１における基地局のうちの１つ、および、ＵＥのうちの１つであってもよい。基地局１１０は、Ｔ本のアンテナ２３４ａないし２３４ｔを装備しており、ＵＥ１２０は、Ｒ本のアンテナ２５２ａないし２５２ｒを装備しており、一般的に、Ｔ≧１であり、Ｒ≧１である。
【００４３】
［００５４］
基地局１１０において、送信プロセッサ２２０は、１つ以上のＵＥのためにデータソース２１２からデータを受け取り、ＵＥから受け取ったチャネル品質インジケータ（ＣＱＩ）に少なくとも部分的に基づいて、各ＵＥに対して１つ以上の変調およびコーディングスキーム（ＭＣＳ）を選択し、ＵＥに対して選択したＭＣＳに少なくとも部分的に基づいて、各ＵＥに対するデータを処理（例えば、エンコードして変調）し、すべてのＵＥに対してデータシンボルを提供してもよい。送信プロセッサ２２０はまた、（例えば、半静的リソース区分情報（ＳＲＰＩ）等のための）システム情報と、制御情報（例えば、ＣＱＩ要求、許可、上位レイヤシグナリング等）とを処理し、オーバーヘッドシンボルおよび制御シンボルを提供してもよい。プロセッサ２２０はまた、基準信号（例えば、セル特有基準信号（ＣＲＳ））と同期信号（例えば、１次同期信号（ＰＳＳ）および２次同期信号（ＳＳＳ））とに対する基準シンボルを発生させる。送信（ＴＸ）複数入力複数出力（ＭＩＭＯ）プロセッサ２３０は、適用可能な場合に、データシンボル、制御シンボル、オーバーヘッドシンボル、および／または、基準シンボル上で、空間処理（例えば、プリコーディング）を実行してもよく、Ｔ個の変調器（ＭＯＤ）２３２ａないし２３２ｔにＴ個の出力シンボルストリームを提供してもよい。各変調器２３２は、（例えば、ＯＦＤＭ等のために）それぞれの出力シンボルストリームを処理して、出力サンプルストリームを取得してもよい。各変調器２３２はさらに、出力サンプルストリームを処理（例えば、アナログに変換、増幅、フィルタリング、および、アップコンバート）して、ダウンリンク信号を取得してもよい。変調器２３２ａないし２３２ｔからのＴ個のダウンリンク信号はそれぞれ、Ｔ本のアンテナ２３４ａないし２３４ｔを介して送信してもよい。以下でより詳細に説明するさまざまな態様にしたがうと、追加の情報を伝えるために、ロケーションエンコーディングを用いて同期信号を発生させることができる。
【００４４】
［００５５］
ＵＥ１２０において、アンテナ２５２ａないし２５２ｒは、基地局１１０および／または他の基地局からダウンリンク信号を受信してもよく、復調器（ＤＥＭＯＤ）２５４ａないし２５４ｒに受信信号をそれぞれ提供してもよい。各復調器２５４は、受信信号を調整（例えば、フィルタリング、増幅、ダウンコンバート、および、デジタル化）して、入力サンプルを取得してもよい。各復調器２５４は、（例えば、ＯＦＤＭ等のために）入力サンプルをさらに処理して、受信シンボルを取得してもよい。ＭＩＭＯ検出器２５６は、Ｒ個のすべての復調器２５４ａないし２５４ｒから受信シンボルを取得し、適用可能な場合に、受信シンボル上でＭＩＭＯ検出を実行し、検出したシンボルを提供してもよい。受信プロセッサ２５８は、検出したシンボルを処理（例えば、復調してデコード）し、ＵＥ１２０のためにデコードしたデータをデータシンク２６０に提供し、デコードした制御情報およびシステム情報を制御装置／プロセッサ２８０に提供してもよい。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）等を決定してもよい。
【００４５】
［００５６］
アップリンク上で、ＵＥ１２０において、送信プロセッサ２６４は、データソース２６２からのデータと、制御装置／プロセッサ２８０からの（例えば、ＲＳＲＰ、ＲＳＳＩ、ＲＳＲＱ、ＣＱＩ等を含む報告のための）制御情報とを受け取って処理してもよい。送信プロセッサ２６４はまた、１つ以上の基準信号に対する基準シンボルを発生させてもよい。送信プロセッサ２６４からのシンボルは、適用可能な場合に、ＴＸ  ＭＩＭＯプロセッサ２６６によりプリコーディングされ、（例えば、ＤＦＴ−ｓ−ＯＦＤＭ、ＣＰ−ＯＦＤＭ等のために）変調器２５４ａないし２５４ｒによりさらに処理され、基地局１１０に送信されてもよい。基地局１１０において、ＵＥ１２０および他のＵＥからのアップリンク信号は、アンテナ２３４により受け取られ、復調器２３２により処理され、適用可能な場合に、ＭＩＭＯ検出器２３６により検出され、受信プロセッサ２３８によりさらに処理されて、ＵＥ１２０によって送られ、デコードされたデータおよび制御情報を取得してもよい。受信プロセッサ２３８は、デコードされたデータをデータシンク２３９に提供し、デコードされた制御情報を制御装置／プロセッサ２４０に提供してもよい。基地局１１０は、通信ユニット２４４を含み、通信ユニット２４４を介してネットワーク制御装置１３０と通信してもよい。ネットワーク制御装置１３０は、通信ユニット２９４と、制御装置／プロセッサ２９０と、メモリ２９２とを含んでいてもよい。
【００４６】
［００５７］
いくつかの態様では、ＵＥ１２０の１つ以上のコンポーネントが、ハウジング中に含まれていてもよい。基地局１１０の制御装置／プロセッサ２４０、ＵＥ１２０の制御装置／プロセッサ２８０、および／または、図２の他の何らかのコンポーネントは、ここでの他の箇所でより詳細に説明するように、チャネル状態情報に対する物理アップリンク制御チャネル（ＰＵＣＣＨ）リソースを選択することに関係付けられている１つ以上の技術を実行してもよい。例えば、基地局１１０の制御装置／プロセッサ２４０、ＵＥ１２０の制御装置／プロセッサ２８０、および／または、図２の他の何らかのコンポーネントは、例えば、図１０のプロセス１０００、図１１のプロセス１１００、図１２のプロセス１２００、および／または、ここで説明する他のプロセスの動作を実行または指示してもよい。メモリ２４２および２８２はそれぞれ、基地局１１０およびＵＥ１２０に対する、データおよびプログラムコードを記憶していてもよい。スケジューラ２４６は、ダウンリンクおよび／またはアップリンク上のデータ送信のためにＵＥをスケジューリングしてもよい。
【００４７】
［００５８］
記憶されているプログラムコードは、ＵＥ１２０におけるプロセッサ２８０ならびに／あるいは他のプロセッサおよびモジュールによって実行されるとき、ＵＥ１２０に、図１０のプロセス１０００に関して説明する動作、および／または、ここで説明する他のプロセスを実行させてもよい。記憶されているプログラムコードは、基地局１１０におけるプロセッサ２４０ならびに／あるいは他のプロセッサおよびモジュールによって実行されるとき、基地局１１０に、図１１のプロセス１１００に関して説明する動作、および／または、ここで説明する他のプロセスを実行させてもよい。スケジューラ２４６は、ダウンリンクおよび／またはアップリンク上のデータ送信のためにＵＥをスケジューリングしてもよい。
【００４８】
［００５９］
いくつかの態様において、ＵＥ１２０は、チャネル状態情報（ＣＳＩ）ペイロードを構築するためのパラメータに少なくとも部分的に基づいて、ＣＳＩペイロードを送信するのに使用されることになるかもしれない物理アップリンク制御チャネル（ＰＵＣＣＨ）リソースのセットを決定する手段と、ＰＵＣＣＨリソースのセットからの１つ以上のリソースを使用して、ＣＳＩペイロードを基地局（ＢＳ）に送信する手段と、および／または、これらに類するものとを含んでいてもよい。追加的にまたは代替的に、ＵＥ１２０は、ＣＳＩペイロードを構築するのに使用される第２のランクとは無関係である第１のランクに少なくとも部分的に基づいて、ＣＳＩペイロードを送信するのに使用されることになるＰＵＣＣＨリソースのセットを決定する手段と、ＰＵＣＣＨリソースのセットからの１つ以上のリソースを使用して、ＣＳＩペイロードをＢＳに送信する手段と、および／または、これらに類するものとを含んでいてもよい。いくつかの態様では、このような手段は、図２に関して説明したＵＥ１２０の１つ以上のコンポーネントを含んでいてもよい。
【００４９】
［００６０］
いくつかの態様では、基地局１１０は、ユーザ機器（ＵＥ）からチャネル状態情報（ＣＳＩ）ペイロードを受信するのに使用されることになる物理アップリンク制御チャネル（ＰＵＣＣＨ）リソースのセットを表すパラメータを識別する手段と、ＣＳＩペイロードは、ＣＳＩ−部分１ペイロードとＣＳＩ−部分２ペイロードとを含み、ＰＵＣＣＨリソースのセットの１つ以上のリソースを介して、ＣＳＩペイロードを受信する手段と、ＣＳＩ−部分１ペイロードのインジケータに少なくとも部分的に基づいて、ＣＳＩペイロードのサイズを決定する手段と、ＣＳＩペイロードのサイズに少なくとも部分的に基づいて、ＣＳＩペイロードをデコードする手段と、および／または、これらに類するものとを含んでいてもよい。いくつかの態様では、このような手段は、図２に関して説明した基地局１１０の１つ以上のコンポーネントを含んでいてもよい。
【００５０】
［００６１］
図２のブロックは別個のコンポーネントとして図示されているが、ブロックに関して上記で説明した機能は、単一のハードウェア、ソフトウェア、または、組み合わせコンポーネントにおいて、あるいは、コンポーネントのさまざまな組み合わせにおいて実現してもよい。例えば、送信プロセッサ２６４、受信プロセッサ２５８、および／または、ＴＸ  ＭＩＭＯプロセッサ２６６に関して説明した機能は、プロセッサ２８０によって、または、その制御下で実行してもよい。
【００５１】
［００６２］
上述したように、図２は単なる例として提供されている。他の例は、図２に関して説明するものとは異なっていてもよい。
【００５２】
［００６３］
図３Ａは、電気通信システム（例えば、ＮＲ）におけるＦＤＤのための例示的なフレーム構造３００を示している。ダウンリンクおよびアップリンクのそれぞれに対する送信タイムラインが、無線フレームの単位に区分されていてもよい。各無線フレームは、予め定められている持続時間を有していてもよく、（例えば、０〜Ｚ−１のインデックスを持つ）Ｚ（Ｚ≧１）個のサブフレームのセットへの区分であってもよい。各サブフレームは、スロットのセットを含んでいてもよい（例えば、サブフレーム毎に２つのスロットが図３Ａ中に示されている）。各スロットは、Ｌ個のシンボル期間のセットを含んでいてもよい。例えば、各スロットは、（例えば、図３Ａ中に示すように）７個のシンボル期間、１５個のシンボル期間、および／または、これらに類するものを含んでいてもよい。サブフレームが２個のスロットを含むケースでは、サブフレームは２Ｌ個のシンボル期間を含んでいてもよく、各サブフレーム中の２Ｌ個のシンボル期間は、０〜２Ｌ−１のインデックスが割り当てられていてもよい。いくつかの態様では、ＦＤＤのためのスケジューリング単位は、フレームベース、サブフレームベース、スロットベース、シンボルベース、および／または、これらに類するものであってもよい。
【００５３】
［００６４］
いくつかの技術をフレーム、サブフレーム、スロット、および／または、これらに類するものに関してここで説明するが、これらの技術は、５Ｇ  ＮＲにおいて、「フレーム」、「サブフレーム」、「スロット」、および／または、これらに類するもの以外の用語を使用して呼ばれることがある、他のタイプのワイヤレス通信構造に等しく適用してもよい。いくつかの態様では、ワイヤレス通信構造は、ワイヤレス通信標準規格および／またはプロトコルによって定義される周期的時間限定通信単位を指していてもよい。追加的にまたは代替的に、図３Ａ中に示すもの以外のワイヤレス通信構造の異なるコンフィギュレーションを使用してもよい。
【００５４】
［００６５］
ある電気通信（例えば、ＮＲ）では、基地局は同期信号を送信してもよい。例えば、基地局は、基地局によってサポートされる各セルに対してダウンリンク上で、１次同期信号（ＰＳＳ）、２次同期信号（ＳＳＳ）、および／または、これらに類するものを送信してもよい。ＰＳＳおよびＳＳＳは、セルのサーチおよび捕捉のためにＵＥにより使用されてもよい。例えば、ＰＳＳは、シンボルタイミングを決定するためにＵＥによって使用されてもよく、ＳＳＳは、基地局に関係付けられている物理セル識別子とフレームタイミングとを決定するためにＵＥによって使用されてもよい。基地局はまた、物理ブロードキャストチャネル（ＰＢＣＨ）を送信してもよい。ＰＢＣＨは、ＵＥによる初期アクセスをサポートするシステム情報のような、いくつかのシステム情報を搬送してもよい。
【００５５】
［００６６］
いくつかの態様では、同期信号のうちの１つ以上は、ＰＵＣＣＨリソースのうちのどれがＣＳＩペイロードを送信および／または受信するために使用されることになるかを識別するために使用される１つ以上のパラメータを含んでいてもよい。
【００５６】
［００６７］
いくつかの態様では、基地局は、図３Ｂに関して以下で説明するように、複数の同期通信（例えば、ＳＳブロック）を含む同期通信階層（例えば、同期信号（ＳＳ）階層）にしたがって、ＰＳＳ、ＳＳＳ、および／または、ＰＢＣＨを送信してもよい。
【００５７】
［００６８］
図３Ｂは、同期通信階層の例である例示的なＳＳ階層を概念的に図示するブロックダイヤグラムである。図３Ｂ中に示すように、ＳＳ階層は、複数のＳＳバースト（ＳＳバースト０〜ＳＳバーストＢ−１として識別され、Ｂは、基地局によって送信されるかもしれないＳＳバーストの反復の最大数である）を含んでいてもよい、ＳＳバーストセットを含んでいてもよい。さらに示されているように、各ＳＳバーストは、（ＳＳブロック０からＳＳブロック（ｂ最大＿ＳＳ−１）として識別される）１つ以上のＳＳブロックを含んでいてもよく、ｂ最大＿ＳＳ−１は、ＳＳバーストによって搬送できるＳＳブロックの最大数である。いくつかの態様では、異なるＳＳブロックは、異なってビーム形成してもよい。ＳＳバーストセットは、図３Ｂ中に示すように、Ｘミリ秒毎のように、ワイヤレスノードによって周期的に送信されてもよい。いくつかの態様では、ＳＳバーストセットは、図３ＢにおいてＹミリ秒として示されている、固定または動的長を有していてもよい。
【００５８】
［００６９］
図３Ｂ中に示されているＳＳバーストセットは、同期通信セットの例であり、ここで説明する技術に関連して他の同期通信セットを使用してもよい。さらに、図３Ｂ中に示されているＳＳブロックは、同期通信の例であり、ここで説明する技術に関連して、他の同期通信を使用してもよい。
【００５９】
［００７０］
いくつかの態様では、ＳＳブロックは、ＰＳＳ、ＳＳＳ、ＰＢＣＨ、ならびに／あるいは、他の同期信号（例えば、３次同期信号（ＴＳＳ））、および／または、同期チャネルを搬送するリソースを含んでいる。いくつかの態様では、複数のＳＳブロックがＳＳバースト中に含まれ、ＰＳＳ、ＳＳＳ、および／または、ＰＢＣＨは、ＳＳバーストの各ＳＳブロックに渡って同じであってもよい。いくつかの態様では、単一のＳＳブロックがＳＳバースト中に含まれていてもよい。いくつかの態様では、ＳＳブロックは、長さが少なくとも４つのシンボル期間であってもよく、各シンボルは、（例えば、１つのシンボルを占有している）ＰＳＳ、（例えば、１つのシンボルを占有している）ＳＳＳ、および／または、（例えば、２つのシンボルを占有している）ＰＢＣＨのうちの１つ以上を搬送する。
【００６０】
［００７１］
いくつかの態様では、同期通信（例えば、ＳＳブロック）は、Ｔｘ  ＢＳ−ＳＳ、Ｔｘ  ｇＮＢ−ＳＳ、および／または、これらに類するものとして呼ばれることがある、送信のための基地局同期通信を含んでいてもよい。いくつかの態様では、同期通信（例えば、ＳＳブロック）は、Ｒｘ  ＢＳ−ＳＳ、Ｒｘ  ｇＮＢ−ＳＳ、および／または、これらに類するものとして呼ばれることがある、受信のための基地局同期通信を含んでいてもよい。いくつかの態様では、同期通信（例えば、ＳＳブロック）は、Ｔｘ  ＵＥ−ＳＳ、Ｔｘ  ＮＲ−ＳＳ、および／または、これらに類するものとして呼ばれることがある、送信のためのユーザ機器同期通信を含んでいてもよい。（例えば、第１の基地局による送信および第２の基地局による受信のための）基地局同期通信は、基地局間の同期のために構成されていてもよく、（例えば、基地局による送信およびユーザ機器による受信のための）ユーザ機器同期通信は、基地局とユーザ機器との間の同期のために構成されていてもよい。
【００６１】
［００７２］
いくつかの態様では、基地局同期通信は、ユーザ機器同期通信とは異なる情報を含んでいてもよい。例えば、１つ以上の基地局同期通信は、ＰＢＣＨ通信を除外していてもよい。追加的にまたは代替的に、基地局同期通信およびユーザ機器同期通信は、同期通信の送信または受信のために使用される時間リソース、同期通信の送信または受信のために使用される周波数リソース、同期通信の周期、同期通信の波形、同期通信の送信または受信のために使用されるビーム形成パラメータ、および／または、これらに類するもののうちの１つ以上に関して異なっていてもよい。
【００６２】
［００７３］
いくつかの態様では、ＳＳブロックのシンボルは、図３Ｂ中に示されているように連続的である。いくつかの態様では、ＳＳブロックのシンボルは不連続である。同様に、いくつかの態様では、ＳＳバーストの１つ以上のＳＳブロックは、１つ以上のサブフレームの間に、連続する無線リソース（例えば、連続するシンボル期間）中で送信してもよい。追加的にまたは代替的に、ＳＳバーストの１つ以上のＳＳブロックは、非連続無線リソース中で送信してもよい。
【００６３】
［００７４］
いくつかの態様では、ＳＳバーストはバースト期間を有していてもよく、それによって、ＳＳバーストのＳＳブロックは、バースト期間にしたがって、基地局によって送信される。言い換えれば、ＳＳブロックは、各ＳＳバーストの間に繰り返されてもよい。いくつかの態様では、ＳＳバーストセットは、バーストセット周期を有していてもよく、それによって、ＳＳバーストセットのＳＳバーストは、固定バーストセット周期にしたがって、基地局によって送信される。言い換えれば、ＳＳバーストは、各ＳＳバーストセットの間に繰り返されてもよい。
【００６４】
［００７５］
基地局は、あるサブフレームにおいて、物理ダウンリンク共有チャネル（ＰＤＳＣＨ）上でシステム情報ブロック（ＳＩＢ）のようなシステム情報を送信してもよい。基地局は、サブフレームのＣ個のシンボル期間中で、物理ダウンリンク制御チャネル（ＰＤＣＣＨ）上で制御情報／データを送信してもよく、Ｃは各サブフレームに対して構成可能であってもよい。基地局は、各サブフレームの残りのシンボル期間中に、ＰＤＳＣＨ上でトラフィックデータおよび／または他のデータを送信してもよい。
【００６５】
［００７６］
いくつかの態様では、ＵＥは、ＰＤＳＣＨおよび／またはＰＤＣＣＨを使用して、ダウンリンク通信のチャネル品質を決定してもよい。いくつかの態様では、ＵＥは、ダウンリンク通信のチャネル品質にしたがって、ＣＳＩペイロードを構築してもよい。
【００６６】
［００７７］
上記のように、図３Ａおよび図３Ｂは例として提供されている。他の例は、図３Ａおよび３Ｂに関して説明するものとは異なっていてもよい。
【００６７】
［００７８］
図４は、ノーマルサイクリックプリフィックスを有する例示的なサブフレームフォーマット４１０を示している。利用可能な時間周波数リソースは、リソースブロックに区分してもよい。各リソースブロックは、１つのスロット中で副搬送波のセット（例えば、１２個の副搬送波）をカバーしており、多数のリソース要素を含んでいる。各リソース要素は、（例えば、時間的に）１つのシンボル期間中の１つの副搬送波をカバーしてもよく、１つの変調シンボルを送るために使用されてもよく、変調シンボルは、実数値であっても、または、複素数値であってもよい。いくつかの態様では、ここで説明するように、ＰＳＳ、ＳＳＳ、ＰＢＣＨ、および／または、これらに類するものを搬送するＳＳブロックの送信のために、サブフレームフォーマット４１０を使用してもよい。
【００６８】
［００７９］
ある電気通信システム（例えば、ＮＲ）中のＦＤＤに対するダウンリンクおよびアップリンクのそれぞれに対して、インターレース構造を使用してもよい。例えば、０ないしＱ−１のインデックスを有するＱ個のインターレースを規定してもよく、Ｑは、４、６、８、１０、または、他の何らかの値と等しくてもよい。各インターレースは、Ｑ個のフレームだけ間隔を空けて離されているサブフレームを含んでいてもよい。特に、インターレースｑは、サブフレームｑ、ｑ＋Ｑ、ｑ＋２Ｑ等を含んでいてもよく、ｑ∈｛０，．．．，Ｑ−１｝である。
【００６９】
［００８０］
ＵＥは、複数のＢＳのカバレッジ内に位置付けられていてもよい。ＵＥを担当するように、これらのＢＳのうちの１つを選択してもよい。受信信号強度、受信信号品質、パス損失、および／または、これらに類するもののような、さまざまな基準に少なくとも部分的に基づいて、担当ＢＳを選択してもよい。受信信号品質は、信号対雑音および干渉比（ＳＩＮＲ）、または、基準信号受信品質（ＲＳＲＱ）、または、他の何らかのメトリックによって定量化してもよい。ＵＥは、１つ以上の干渉ＢＳからの高い干渉をＵＥが観測するかもしれない、支配的干渉シナリオにおいて、動作するかもしれない。
【００７０】
［００８１］
ここで説明する例の態様はＮＲまたは５Ｇテクノロジーに関係付けられているかもしれないが、本開示の態様は、他のワイヤレス通信システムに適用可能であってもよい。新たな無線（ＮＲ）は、（例えば、直交周波数分割多元接続（ＯＦＤＭＡ）ベースのエアインターフェース以外の）新たなエアインターフェースに、または、（例えば、インターネットプロトコル（ＩＰ）以外の）固定された伝送レイヤにしたがって動作するように構成されている無線を指していてもよい。態様では、ＮＲは、アップリンク上で、ＣＰを有するＯＦＤＭ（ここではサイクリックプレフィックスＯＦＤＭまたはＣＰ−ＯＦＤＭとして呼ばれる）および／またはＳＣ−ＦＤＭを利用してもよく、ダウンリンク上で、ＣＰ−ＯＦＤＭを利用してもよく、ＴＤＤを使用する半二重動作のためのサポートを含んでいてもよい。態様では、ＮＲは、例えば、アップリンク上で、ＣＰを有するＯＦＤＭ（ここではＣＰ−ＯＦＤＭとして呼ばれる）および／または離散フーリエ変換拡散直交周波数分割多重（ＤＦＴ−ｓ−ＯＦＤＭ）を利用してもよく、ダウンリンク上で、ＣＰ−ＯＦＤＭを利用してもよく、ＴＤＤを使用する半二重動作のためのサポートを含んでいてもよい。ＮＲは、広帯域幅（例えば、８０メガヘルツ（ＭＨｚ）以上）をターゲットとする拡張移動体ブロードバンド（ｅＭＢＢ）サービス、高搬送波周波数（例えば、６０ギガヘルツ（ＧＨｚ））をターゲットとするミリ波（ｍｍＷ）、非下位互換性ＭＴＣ技術をターゲットとする大量のＭＴＣ（ｍＭＴＣ）、および／または、超高信頼低遅延通信（ＵＲＬＬＣ）サービスをターゲットとするミッションクリティカルを含んでいてもよい。
【００７１】
［００８２］
いくつかの態様では、１００ＭＨｚの単一のコンポーネント搬送波帯域幅をサポートしてもよい。ＮＲリソースブロックは、０．１ｍｓ期間に渡り、６０、または、１２０ｋＨｚの副搬送波帯域幅を有する１２個の副搬送波に及んでいてもよい。各無線フレームは、１０ｍｓの長さを有する４０個のサブフレームを含んでいてもよい。結果として、各サブフレームは、０．２５ｍｓの長さを有していてもよい。各サブフレームは、データ送信のためのリンク方向（例えば、ＤＬまたはＵＬ）を示してもよく、各サブフレームに対するリンク方向は、動的に切り替えられるかもしれない。各サブフレームは、ＤＬ／ＵＬデータとともにＤＬ／ＵＬ制御データを含んでいてもよい。
【００７２】
［００８３］
ビーム形成をサポートしてもよく、ビーム方向を動的に構成してもよい。プリコーディングを有するＭＩＭＯ送信もサポートしてもよい。ＤＬ中のＭＩＭＯコンフィギュレーションは、８本までの送信アンテナをサポートしてもよく、マルチレイヤＤＬ送信は、８ストリームまでであり、ＵＥ毎に２ストリームまでである。ＵＥ毎に２ストリームまでのマルチレイヤ送信をサポートしてもよい。複数のセルのアグリゲーションを、８個までの担当セルによりサポートしてもよい。代替的に、ＮＲは、ＯＦＤＭベースのインターフェース以外の、異なるエアインターフェースをサポートしてもよい。ＮＲネットワークは、中央ユニットまたは分散ユニットのようなエンティティを含んでいてもよい。
【００７３】
［００８４］
いくつかのインプリメンテーションにしたがうと、ＵＥは、マルチレイヤＤＬ送信のチャネル品質にしたがって、ＣＳＩペイロードを構築してもよい。例えば、ＵＥ１２０は、マルチレイヤＤＬ送信の品質に対応するマルチレイヤＤＬ送信のランクを決定してもよい。より具体的には、マルチレイヤＤＬ送信のうちの１つのレイヤがしきい値品質を満たす場合、１のランク（ランク＝１）がチャネル品質を表すように決定されてもよく、マルチレイヤＤＬ送信のうちの２つのレイヤがしきい値品質を満たす場合、２のランク（ランク＝２）がチャネル品質を表すように決定されてもよく、以下同様である。いくつかの態様では、ＣＳＩペイロードを構築するために（例えば、ＣＳＩ−部分２ペイロードのすべてまたは一部がＣＳＩペイロード中に含まれることになるか否かを決定するために）、ランクを使用してもよい。
【００７４】
［００８５］
上記に示したように、図４は例として提供されている。他の例は、図４に関して説明したものとは異なっていてもよい。
【００７５】
［００８６］
図５は、ＤＬ中心サブフレームまたはワイヤレス通信構造の例を示すダイヤグラム５００である。ＤＬ中心サブフレームは、制御部分５０２を含んでいてもよい。制御部分５０２は、ＤＬ中心サブフレームの最初または開始部分中に存在していてもよい。制御部分５０２は、ＤＬ中心サブフレームのさまざまな部分に対応する、さまざまなスケジューリング情報および／または制御情報を含んでいてもよい。いくつかのコンフィギュレーションにおいて、制御部分５０２は、図５で示すように、物理ＤＬ制御チャネル（ＰＤＣＣＨ）であってもよい。いくつかの態様では、制御部分５０２は、レガシーＰＤＣＣＨ情報、短縮ＰＤＣＣＨ（ｓＰＤＣＣＨ）情報、（例えば、物理制御フォーマットインジケータチャネル（ＰＣＦＩＣＨ）上で搬送される）制御フォーマットインジケータ（ＣＦＩ）値、１つ以上の許可（例えば、ダウンリンク許可、アップリンク許可等）、および／または、これらに類するものを含んでいてもよい。
【００７６】
［００８７］
ＤＬ中心サブフレームは、ＤＬデータ部分５０４も含んでいてもよい。ＤＬデータ部分５０４は、ときには、ＤＬ中心サブフレームのペイロードとして呼ばれることがある。ＤＬデータ部分５０４は、スケジューリングエンティティ（例えば、ＵＥまたはＢＳ）から下位エンティティ（例えば、ＵＥ）にＤＬデータを通信するために利用される通信リソースを含んでいてもよい。いくつかのコンフィギュレーションにおいて、ＤＬデータ部分５０４は、物理ＤＬ共有チャネル（ＰＤＳＣＨ）であってもよい。
【００７７】
［００８８］
ＤＬ中心サブフレームは、ＵＬショートバースト部分５０６も含んでいてもよい。ＵＬショートバースト部分５０６は、ＵＬバースト、ＵＬバースト部分、共通ＵＬバースト、ショートバースト、ＵＬショートバースト、共通ＵＬショートバースト、共通ＵＬショートバースト部分、および／または、さまざまな他の適切な用語として呼ばれることがある。いくつかの態様では、ＵＬショートバースト部分５０６は、１つ以上の基準信号を含んでいてもよい。追加的にまたは代替的に、ＵＬショートバースト部分５０６は、ＤＬ中心サブフレームのさまざまな他の部分に対応するフィードバック情報を含んでいてもよい。例えば、ＵＬショートバースト部分５０６は、制御部分５０２および／またはデータ部分５０４に対応するフィードバック情報を含んでいてもよい。ＵＬショートバースト部分５０６中に含まれていてもよい情報の非限定的な例は、ＡＣＫ信号（例えば、ＰＵＣＣＨ  ＡＣＫ、ＰＵＳＣＨ  ＡＣＫ、即時ＡＣＫ）、ＮＡＣＫ信号（例えば、ＰＵＣＣＨ  ＮＡＣＫ、ＰＵＳＣＨ  ＮＡＣＫ、即時ＮＡＣＫ）、スケジューリング要求（ＳＲ）、バッファステータス報告（ＢＳＲ）、ＨＡＲＱインジケータ、チャネル状態表示（ＣＳＩ）、チャネル品質インジケータ（ＣＱＩ）、サウンディング基準信号（ＳＲＳ）、復調基準信号（ＤＭＲＳ）、ＰＵＳＣＨデータ、および／または、さまざまな他の適切なタイプの情報を含んでいる。ＵＬショートバースト部分５０６は、ランダムアクセスチャネル（ＲＡＣＨ）手順に適する情報、スケジューリング要求、および、さまざまな他の適切なタイプの情報のような、追加のまたは代替の情報を含んでいてもよい。
【００７８】
［００８９］
図５中に図示するように、ＤＬデータ部分５０４の終端は、ＵＬショートバースト部分５０６の開始から時間的に分離していてもよい。この時間分離は、ときには、ギャップ、ガード期間、ガードインターバル、および／または、さまざまな他の適切な用語として呼ばれることがある。この分離は、ＤＬ通信（例えば、下位エンティティ（例えば、ＵＥ）による受信動作）からＵＬ通信（例えば、下位エンティティ（例えば、ＵＥ）による送信）への切り替えのための時間を提供する。前述は、ＤＬ中心ワイヤレス通信構造の単なる例に過ぎず、同様の特徴を有する代替構造が、ここで説明した態様から必ずしも逸脱することなく存在していてもよい。
【００７９】
［００９０］
いくつかの態様では、ＵＬショートバースト部分５０６は、ＣＳＩペイロードを搬送するように構成されているＰＵＣＣＨリソースの１つ以上のセットを含んでいてもよい。いくつかの態様では、ＢＳ１１０および／またはＵＥ１２０は、ＢＳ１１０および／またはＵＥ１２０に提供される１つ以上のパラメータに基づいて、ＰＵＣＣＨリソースのどのセットがＣＳＩペイロードを含むことになるかを識別するように構成されていてもよい。いくつかの態様では、１つ以上のパラメータは、ネットワーク１００の仕様にしたがって予め定められていてもよい。
【００８０】
［００９１］
上述したように、図５は単なる例として提供されている。他の例は、図５に関して説明したものとは異なっていてもよい。
【００８１】
［００９２］
図６は、ＵＬ中心サブフレームまたはワイヤレス通信構造の例を示すダイヤグラム６００である。ＵＬ中心サブフレームは、制御部分６０２を含んでいてもよい。制御部分６０２は、ＵＬ中心サブフレームの最初または開始部分に存在していてもよい。図６の制御部分６０２は、図５を参照して上述した制御部分５０２と同様であってもよい。ＵＬ中心サブフレームは、ＵＬロングバースト部分６０４も含んでいてもよい。ＵＬロングバースト６０４は、ときには、ＵＬ中心サブフレームのペイロードとして呼ばれることがある。ＵＬ部分は、下位エンティティ（例えば、ＵＥ）からスケジューリングエンティティ（例えば、ＵＥまたはＢＳ）にＵＬデータを通信するために利用される通信リソースを指していてもよい。いくつかのコンフィギュレーションにおいて、制御部分６０２は、物理ＤＬ制御チャネル（ＰＤＣＣＨ）であってもよい。
【００８２】
［００９３］
図６に図示するように、制御部分６０２の終端は、ＵＬロングバースト６０４の開始から時間的に分離していてもよい。この時間分離は、ときには、ギャップ、ガード期間、ガードインターバル、および／または、さまざまな他の適切な用語として呼ばれることがある。この分離は、ＤＬ通信（例えば、スケジューリングエンティティによる受信動作）からＵＬ通信（例えば、スケジューリングエンティティによる送信）への切り替えのための時間を提供する。
【００８３】
［００９４］
ＵＬ中心サブフレームは、ＵＬショートバースト部分６０６も含んでいてもよい。図６中のＵＬショートバースト部分６０６は、図５を参照して上述したＵＬショートバースト部分５０６と同様であってもよく、図５に関連して上述した情報のうちのいずれかを含んでいてもよい。したがって、ＵＬショートバースト部分６０６は、ここで説明するように、ＣＳＩペイロードを搬送するように構成されているＰＵＣＣＨリソースの１つ以上のセットを含んでいてもよい。前述は、ＵＬ中心ワイヤレス通信構造の単なる一例に過ぎず、同様の特徴を有する代替構造が、ここで説明した態様から必ずしも逸脱することなく存在していてもよい。
【００８４】
［００９５］
いくつかの状況では、２つ以上の下位エンティティ（例えば、ＵＥ）が、サイドリンク信号を使用して、互いに通信してもよい。このようなサイドリンク通信の現実世界のアプリケーションは、公衆安全、近接サービス、ＵＥツーネットワーク中継、ビークルツービークル（Ｖ２Ｖ）通信、インターネットオブエブリシング（ＩｏＥ）通信、ＩｏＴ通信、ミッションクリティカルメッシュ、および／または、さまざまな他の適切なアプリケーションを含んでいてもよい。一般に、たとえ、スケジューリングエンティティがスケジューリングおよび／または制御目的で利用されるかもしれないとしても、サイドリンク信号は、スケジューリングエンティティ（例えば、ＵＥまたはＢＳ）を通してその通信を中継することなく、１つの下位エンティティ（例えば、ＵＥ１）から別の下位エンティティ（例えば、ＵＥ２）に通信される信号を指していてもよい。いくつかの例では、サイドリンク信号は、（典型的にライセンスされていないスペクトルを使用するワイヤレスローカルエリアネットワークとは異なり）ライセンスされているスペクトルを使用して通信してもよい。
【００８５】
［００９６］
１つの例では、フレームのようなワイヤレス通信構造は、ＵＬ中心サブフレームとＤＬ中心サブフレームの両方を含んでいてもよい。この例では、フレーム中のＤＬ中心サブフレームに対するＵＬ中心サブフレームの比は、送信されるＵＬデータの量とＤＬデータの量とに少なくとも部分的に基づいて、動的に調整してもよい。例えば、より多くのＵＬデータがある場合、ＤＬ中心サブフレームに対するＵＬ中心サブフレームの比を増加させてもよい。逆に、より多くのＤＬデータがある場合、ＤＬ中心サブフレームに対するＵＬ中心サブフレームの比を減少させてもよい。
【００８６】
［００９７］
上述したように、図６は単なる例として提供されている。他の例は、図６に関して説明したものとは異なっていてもよい。
【００８７】
［００９８］
図７は、本開示のさまざまな態様にしたがう、チャネル状態情報に対して物理アップリンク制御チャネル（ＰＵＣＣＨ）リソースを選択する例７００を図示するダイヤグラムである。例示的なインプリメンテーション７００は、ＢＳ１１０とＵＥ１２０とを含んでいる。上述のように、いくつかの事例では、以前の技術を使用して、ＣＳＩペイロード（例えば、ＣＳＩ−部分１ペイロードとＣＳＩ−部分２ペイロードとを含むペイロード）を送信して、ＵＥ１２０は、ＣＳＩペイロードのサイズに基づいて、ＰＵＣＣＨリソースのセットを選択してもよい。このような事例では、ＣＳＩペイロードがＵＥ１２０によって構築されるときに、ＢＳ１１０には、ＣＳＩペイロードのサイズが通知されないことから、ＢＳ１１０には、ＣＳＩペイロードを受信するためにどのＰＵＣＣＨリソースが使用されることになるかが通知されない。例示的なインプリメンテーション７００では、ＣＳＩペイロードを通信するために、ＰＵＣＣＨリソースのうちのどれが使用されることになるかを識別するようにパラメータが構成され、したがって、ＢＳ１１０およびＵＥ１２０の両方は、示された、予め構成された、または、予め定められているパラメータを使用して、ＰＵＣＣＨリソースのうちのどれがＣＳＩペイロードを含めることになるのかを識別してもよい。
【００８８】
［００９９］
図７中で参照番号７１０によって示されているように、ＣＳＩペイロードを含むＰＵＣＣＨリソースのセットに対してパラメータは構成されている。いくつかの態様では、パラメータは、ＢＳ１１０および／またはＵＥ１２０に関係付けられているネットワーク（例えば、ネットワーク１００）をセットアップする際に構成されてもよい。いくつかの態様では、パラメータは、ネットワークの仕様にしたがって、予め定められていてもよい。いくつかの態様では、パラメータは、複数の可能性あるパラメータのうちの１つのパラメータであってもよい。いくつかの態様では、パラメータは、ＢＳ１１０および／またはＵＥ１２０の間の１つ以上の通信（例えば、同期信号、無線リソース制御（ＲＲＣ）通信、および／または、これらに類するもの）に基づいて構成されていてもよい。いくつかの態様では、パラメータは、ＣＳＩペイロードを構築するためにＵＥ１２０によって使用されるかもしれない１つ以上のパラメータに対応していてもよい。
【００８９】
［０１００］
いくつかの態様では、パラメータは、ＣＳＩペイロードを通信するために使用されることになるＰＵＣＣＨリソースのセットの容量を表していてもよい。例えば、パラメータは、値（例えば、ＵＥ１２０によって決定される可能性あるダウンリンクチャネル品質に対応する可能性あるランク（または、ランクインジケータ））を含んでいてもよく、値のサイズが大きいほど（例えば、可能性あるランクが大きいほど）、ＰＵＣＣＨリソースのセットの容量は大きくなり、および／または、値のサイズが小さいほど（例えば、可能性あるランクが小さいほど）、ＰＵＣＣＨリソースのセットの容量は小さくなる。
【００９０】
［０１０１］
いくつかの態様では、パラメータは構成可能であってもよい。例えば、パラメータの値は、ＣＳＩペイロードを構築するために使用されることになるかもしれないパラメータの１つ以上のしきい値にしたがって構成可能であってもよい。例えば、パラメータがランクに対応する場合、パラメータは、どのＰＵＣＣＨリソースがＣＳＩペイロードを含んでいるかを決定するために（例えば、ＢＳ１１０によって）使用されることになるさまざまな構成された値を有していてもよい。パラメータは、異なるＵＥ１２０に対して、同じＵＥ１２０によるＣＳＩペイロードの異なる送信に対して、および／または、これらに類するものに対して、構成可能であってもよい。このようなケースでは、パラメータは、（例えば、ユーザによって、ネットワーク管理者、および／または、これらに類するものによって）ＢＳ１１０および／またはＵＥ１２０に提供されることになる。
【００９１】
［０１０２］
いくつかの態様にしたがうと、パラメータは、ＵＥ１２０がその特定の送信のＣＳＩペイロードを構築するのに使用する可変パラメータではない（例えば、ＣＳＩペイロードのサイズに依存しない）という点で固定されていてもよい。しかしながら、いくつかの態様では、パラメータは、ＣＳＩペイロードを構築するときにＵＥ１２０が使用するかもしれない１つ以上のパラメータに対応していてもよいが、パラメータは、ＣＳＩペイロードを構築するのにＵＥ１２０が使用するパラメータでなくてもよい。したがって、いくつかの態様では、ＣＳＩペイロードのサイズにかかわらず、パラメータは、ＣＳＩペイロードの特定のサイズ（例えば、最大サイズ、最小サイズ、予め定められているサイズ、および、／または、これらに類するもの）に対応していてもよい。いくつかの事例では、パラメータは、ＣＳＩペイロードの最小サイズまたはＣＳＩペイロードの最大サイズを表していてもよい。このようなケースでは、その特定のサイズは、ＣＳＩペイロードを構築するのに使用することができる可能性あるダウンリンクチャネル品質に対応していてもよい。
【００９２】
［０１０３］
したがって、ＰＵＣＣＨリソースのうちのどれがＣＳＩペイロードを通信するのに使用されることになるかをＢＳ１１０およびＵＥ１２０が識別してもよいように、ＢＳ１１０および／またはＵＥ１２０にパラメータを提供してもよい。
【００９３】
［０１０４］
図７中で参照番号７２０によってさらに示されているように、ＢＳ１１０は、ダウンリンク通信をＵＥ１２０に送る。いくつかの態様では、ダウンリンク通信は、ダウンリンクチャネルの複数のレイヤを使用して（例えば、ＭＩＭＯを使用して）、ＢＳ１１０によって送信され、ＵＥ１２０によって受信されてもよい。参照番号７３０によって示されているように、ＵＥ１２０は、ダウンリンク通信に関係付けられているチャネル品質（例えば、ダウンリンクチャネル品質（ＤＣＱ））に基づいて、ＣＳＩペイロードを構築する。したがって、ＣＳＩペイロードのコンテンツは、チャネル品質に基づいていてもよい。したがって、ＵＥ１２０は、ダウンリンク通信のチャネル品質を測定して、ＣＳＩペイロードをどのように構築するかを決定してもよい。いくつかの事例では、ＣＳＩペイロードのサイズは、ダウンリンク通信に関係付けられているチャネル品質に対応していてもよい。
【００９４】
［０１０５］
いくつかの態様では、ＣＳＩペイロードを送るとき、ＵＥ１２０は、ＰＵＣＣＨリソースのセット中にＳＲを含めてもよい。例えば、ここではＣＳＩペイロード送信（例えば、ダウンリンク制御情報によってトリガされる非周期的半永続（Ａ／ＳＰ）−ＣＳＩ）として呼ばれるＣＳＩの送信の間に、１つ以上のＳＲ機会がスケジュールされるとき、ＵＥ１２０がＣＳＩペイロード内にＳＲ要求を含めることになることをＵＥ１２０が決定してもよい。したがって、ＵＥ１２０は、ジョイントエンコーディングを使用して、ＣＳＩペイロード内にＳＲを含めてもよい。いくつかの態様では、ＵＥ１２０は、ＳＲ機会の開始シンボルがＣＳＩペイロードと同じ開始シンボルであるとき、ジョイントエンコーディングを使用してもよい。いくつかの態様では、ＳＲのサイズは、ＳＲ機会の数に対応するビット数に対応する。例として、ＳＲのビット数Ｎは、
Ｎ＝ｌｏｇ２（Ｋ＋１）    （１）
に対応してもよく、Ｋは、ＣＳＩペイロード送信とオーバーラップするＳＲ機会の数である。したがって、ＳＲのサイズは、ＣＳＩペイロード送信とオーバーラップするＳＲ機会の数に少なくとも部分的に基づいていてもよい。いくつかの態様では、上記から、ＵＥ１２０は、ＳＲ（正のＳＲ）を含むことになる１つのＳＲ機会を識別してもよい。このようなケースでは、ＳＲは、ＣＳＩペイロードの１ビットを消費するかもしれない。したがって、ＵＥ１２０は、ジョイントエンコーディングを使用して、ＳＲを含むようにＣＳＩペイロードを構築してもよい。
【００９５】
［０１０６］
追加的にまたは代替的に、ＵＥ１２０は、ＰＵＣＣＨリソースのセット内でＳＲとＣＳＩペイロードとを多重化してもよい。例えば、１つ以上のＳＲビットは、ＣＳＩペイロードを送信するのに使用されるＰＵＣＣＨリソースの１つ以上のリソース要素を占有するように構成されていてもよく、ＣＳＩペイロードは、残りのリソースを占有するように構成されていてもよい。いくつかの態様では、ＵＥ１２０は、リソース要素マッピングおよび／またはベータファクタ（例えば、肯定応答リソースインジケータ（ＡＲＩ））を使用して、ＳＲとＣＳＩペイロードのコンテンツとの間で１つ以上のリソース要素を割り振ってもよい。したがって、ＵＥ１２０は、ＣＳＩペイロードを通信するために使用されるＰＵＣＣＨリソースにＳＲを多重化してもよい。
【００９６】
［０１０７］
図７中で参照番号７４０によってさらに示されているように、ＵＥ１２０は、パラメータにしたがって、ＰＵＣＣＨリソースを介して、ＣＳＩペイロードを送信する。したがって、ＣＳＩペイロードのサイズに基づいて、ＰＵＣＣＨリソースのセットを選択するよりもむしろ、ＵＥ１２０は、ＣＳＩペイロードを含むことになるＰＵＣＣＨリソースのセットに対して構成されたパラメータに対応するＰＵＣＣＨリソースのセットを使用する。いくつかの事例では、ＣＳＩペイロードのサイズが、ＣＳＩペイロードを送信するために使用されることになるＰＵＣＣＨリソースのセットの容量を超えるとき、ＵＥ１２０は、ＣＳＩペイロードの１つ以上のブロック（例えば、ＣＳＩ−部分２ペイロードの１つ以上のブロック）をドロップしてもよい。追加的にまたは代替的に、ＣＳＩペイロードのサイズが、ＣＳＩペイロードを送信するのに使用されることになるＰＵＣＣＨリソースのセットの容量よりも小さいとき、ＵＥ１２０は、ＣＳＩペイロードの１つ以上のブロック（例えば、ＣＳＩ−部分２ペイロードの１つ以上のブロック）のコピーを含めてもよい。
【００９７】
［０１０８］
図７中で参照番号７５０によってさらに示されているように、ＢＳ１１０は、ＰＵＣＣＨリソースのセットの中からＰＵＣＣＨリソースを識別して、ＣＳＩペイロードを識別してデコードする。例えば、ＰＵＣＣＨを受信すると、ＢＳ１１０は、ＰＵＣＣＨのどのリソースがＣＳＩペイロードを含んでいるかを識別してもよい。さらに、ＢＳ１１０は、パラメータに対応するＣＳＩペイロードのサイズに基づいて、ＣＳＩペイロードをデコードしてもよい。いくつかの態様では、ＣＳＩペイロードをデコードするために、ＢＳ１１０は、ＣＳＩペイロードのＣＳＩ−部分１ペイロードをデコードし、ＣＳＩ−部分１中の（例えば、ダウンリンク通信のチャネル品質から決定されるランクに対応する）インジケータに基づいて、ＣＳＩ−部分２ペイロードの残りの意図されたサイズを決定してもよい。しかしながら、ＵＥ１２０は、インジケータに対応するパラメータを使用して、ＣＳＩペイロードを発生させていないかもしれないので、ＣＳＩ−部分２の実際のサイズは、ＣＳＩ−部分２の意図されたサイズに対応していないかもしれない。
【００９８】
［０１０９］
したがって、ＢＳ１１０および／またはＵＥ１２０は、構成されたパラメータを使用して、ＣＳＩペイロードを通信してもよい。その結果、ＢＳ１１０は、ＵＥ１２０がＣＳＩペイロードを構築するのに使用するパラメータにかかわらず、ＣＳＩペイロードを受信してデコードできるかもしれない。
【００９９】
［０１１０］
上記のように、図７は例として提供されている。他の例は、図７に関して説明したものとは異なっていてもよい。
【０１００】
［０１１１］
図８は、本開示のさまざまな態様にしたがう、チャネル状態情報に対して物理アップリンク制御チャネル（ＰＵＣＣＨ）リソースを選択する例８００を図示するダイヤグラムである。例８００では、ＢＳ１１０およびＵＥ１２０に示され、ＣＳＩペイロードを通信するために使用されるパラメータに対応するような、ＰＵＣＣＨリソースの例示的なセットが示されている。
【０１０１】
［０１１２］
参照番号８１０によって示されているように、ＣＳＩ−部分１ペイロードは、８つのＰＵＣＣＨリソースのセットの６つのリソース要素を占有し、ＣＳＩ−部分２ペイロードは、ＰＵＣＣＨリソースのセットの２つのリソース要素を占有している。この事例では、ペイロードサイズは、ＰＵＣＣＨリソースの容量に対応していてもよい（または、等しくてもよい）。例えば、ＵＥ１２０は、ダウンリンク通信に関係付けられているチャネル品質に基づいて、ＣＳＩペイロードを構築しているかもしれない。ＵＥ１２０は、チャネルの（２つ以上のＭＩＭＯレイヤのうちの）２つのレイヤがしきい値品質レベルを満たしていることを決定しているかもしれない。したがって、ＣＳＩ−部分２のペイロードサイズは２であったかもしれず、ＣＳＩ−部分１ペイロードのサイズと組み合わせて、ＣＳＩペイロードのペイロードサイズは、ＰＵＣＣＨリソースのセットの容量に等しくなる。したがって、ＰＵＣＣＨリソース（または、ＰＵＣＣＨリソースのサイズ）を決定するために使用されるパラメータ（または、パラメータの値）は、ＣＳＩペイロードを構築するのに使用されるパラメータと同じ値であったかもしれない。
【０１０２】
［０１１３］
図８中の参照番号８２０によって示されているように、ＣＳＩ−部分１ペイロードは、８つのＰＵＣＣＨリソースのセットの６つのリソース要素を占有し、ＣＳＩ−部分２ペイロードは、ＰＵＣＣＨリソースのセットの２つのリソース要素を占有している。この事例では、ペイロードサイズは、ＰＵＣＣＨリソースの容量よりも大きかったはずである。例えば、ＵＥ１２０は、ダウンリンク通信に関係付けられているチャネル品質に基づいて、ＣＳＩペイロードを構築しているかもしれない。ＵＥ１２０は、チャネルの（４つ以上のＭＩＭＯレイヤのうちの）４つのレイヤがしきい値品質レベルを満たしていることを決定しているかもしれない。したがって、ＣＳＩ−部分２のペイロードサイズは４であったかもしれない。しかしながら、このペイロードサイズ（１０）は、ＣＳＩ−部分１ペイロードのサイズと組み合わせて、ＰＵＣＣＨリソースの容量（８）よりも大きかった。したがって、ＰＵＣＣＨリソース（または、ＰＵＣＣＨリソースのサイズ）を決定するのに使用されるパラメータ（または、パラメータの値）は、ＣＳＩペイロードを構築するために使用されるパラメータ（または、パラメータの値）とは異なっていた。このケースでは、図示するように、ＣＳＩ−部分２ペイロードの２つのブロックがドロップされているかもしれない。
【０１０３】
［０１１４］
図８の参照番号８３０によって示されているように、ＣＳＩ−部分１ペイロードは、１０のＰＵＣＣＨリソースのセットの６つのリソース要素を占有し、ＣＳＩ−部分２ペイロードは、ＰＵＣＣＨリソースのセットの２つのリソース要素を占有している。この事例では、ペイロードサイズは、ＰＵＣＣＨリソースの容量未満となる。例えば、ＵＥ１２０は、ダウンリンク通信に関係付けられているチャネル品質に基づいて、ＣＳＩペイロードを構築しているかもしれない。ＵＥ１２０は、チャネルの（２つ以上のＭＩＭＯレイヤのうちの）２つのレイヤがしきい値品質レベルを満たしていることを決定しているかもしれない。したがって、ＣＳＩ−部分２のペイロードサイズは２であったかもしれない。しかしながら、このペイロードサイズ（８）は、ＣＳＩ−部分１ペイロードのサイズと組み合わせて、ＰＵＣＣＨリソースの容量（１０）未満であった。したがって、ＰＵＣＣＨリソース（または、ＰＵＣＣＨリソースのサイズ）を決定するために使用されるパラメータ（または、パラメータの値）は、ＣＳＩペイロードを構築するのに使用されるパラメータ（または、パラメータの値）とは異なっていた。このケースでは、未使用のリソース要素を占有するために、ＣＳＩ−部分２ペイロードの２つのブロックがコピーされ追加されているかもしれない。
【０１０４】
［０１１５］
上記のように、図８は例として提供されている。他の例は、図８に関して説明したものとは異なっていてもよい。
【０１０５】
［０１１６］
図９は、本開示のさまざまな態様にしたがう、チャネル状態情報に対して物理アップリンク制御チャネル（ＰＵＣＣＨ）リソースを選択する例９００を図示するダイヤグラムである。例９００において、ＢＳ１１０およびＵＥ１２０に示され、ＣＳＩペイロードを通信するために使用されるパラメータに対応するような、ＰＵＣＣＨリソースのセット内に例示的なＣＳＩペイロードが示され、ＰＵＣＣＨリソースのセットは、ＳＲを含むように示されている。
【０１０６】
［０１１７］
参照番号９１０によって示されているように、ＵＥ１２０は、ＳＲがＣＳＩペイロード内に含まれるように、ＳＲとＣＳＩペイロードとのジョイントエンコーディングを実行してもよい。参照番号９２０によって示されているように、ＵＥ１２０は、ＳＲとＣＳＩペイロードとが両方とも、ＣＳＩペイロードを送るのに使用されることになるかもしれないＰＵＣＣＨリソースのセット内に含まれるように、ＳＲとＣＳＩペイロードとの多重化を実行してもよいが、ＳＲはＣＳＩペイロード内に含まれていない。
【０１０７】
［０１１８］
上記のように、図９は例として提供されている。他の例は、図９に関して説明するものとは異なっていてもよい。
【０１０８】
［０１１９］
図１０は、本開示のさまざまな態様にしたがう、例えば、ＵＥによって実行される例示的なプロセス１０００を図示するダイヤグラムである。例示的なプロセス１０００は、ＵＥ（例えば、ＵＥ１２０）がＣＳＩに対するＰＵＣＣＨリソースを選択する例である。
【０１０９】
［０１２０］
図１０中に示されているように、いくつかの態様では、プロセス１０００は、チャネル状態情報（ＣＳＩ）ペイロードを構築するためのパラメータに少なくとも部分的に基づいて、ＣＳＩペイロードを送信するのに使用されることになるかもしれない物理アップリンク制御チャネル（ＰＵＣＣＨ）リソースのセットを決定することを含んでいてもよい（ブロック１０１０）。例えば、ＵＥ１２０は（例えば、送信プロセッサ２６４、ＴＸ  ＭＩＭＯプロセッサ２６６、制御装置／プロセッサ２８０、および／または、これらに類するものを使用して）、ＣＳＩペイロードをＢＳ１１０に送信するのに使用されることになるＰＵＣＣＨリソースのセットを決定してもよい。いくつかの態様では、ＵＥ１２０は、パラメータを示す、パラメータを使用するように構成されている、および／または、これらに類するもののコンフィギュレーションを受信することに少なくとも部分的に基づいて、ＰＵＣＣＨリソースのセットを決定してもよい。
【０１１０】
［０１２１］
図１０中にさらに示されているように、いくつかの態様では、プロセス１０００は、ＰＵＣＣＨリソースのセットからの１つ以上のリソースを使用して、ＣＳＩペイロードを基地局（ＢＳ）に送信することを含んでいてもよい（ブロック１０２０）。例えば、ＵＥ１２０は（例えば、送信プロセッサ２６４、ＴＸ  ＭＩＭＯプロセッサ２６６、制御装置／プロセッサ２８０、および／または、これらに類するものを使用して）、ＣＳＩペイロードをＢＳ１１０に送信してもよい。いくつかの態様では、ＵＥ１２０は、ＣＳＩペイロードを送信するのに使用されることになるかもしれないＰＵＣＣＨリソースのセットを決定することに少なくとも部分的に基づいて、ＣＳＩペイロードを決定してもよい。
【０１１１】
［０１２２］
プロセス１０００は、以下で説明する、任意の単一の態様または態様の任意の組み合わせ、および／または、ここでの他の箇所で説明する１つ以上の他のプロセスに関連するような、追加の態様を含んでいてもよい。
【０１１２】
［０１２３］
第１の態様において、パラメータは、ＵＥのネットワークに関係付けられている仕様にしたがって予め定められている。第２の態様では、単独で、または、第１の態様と組み合わせて、ＣＳＩペイロードのコンテンツは、ＢＳとの通信のために使用されるチャネルのダウンリンクチャネル品質に少なくとも部分的に基づいている。第３の態様では、単独で、または、第１および第２の態様のうちの１つ以上と組み合わせて、パラメータは、ＣＳＩペイロードを構築するのに使用されるパラメータとは異なる。第４の態様では、単独で、または、第１から第３の態様のうちの１つ以上と組み合わせて、パラメータは、ＰＵＣＣＨリソースのセットの容量を表している。
【０１１３】
［０１２４］
第５の態様では、単独で、または、第１から第４の態様のうちの１つ以上と組み合わせて、ＣＳＩペイロードのサイズにかかわらず、パラメータは、ＣＳＩペイロードの最大サイズ、または、ＣＳＩペイロードの最小サイズに対応する。第６の態様では、単独で、または、第１から第５の態様のうちの１つ以上と組み合わせて、パラメータは、ＣＳＩペイロードの最小サイズを表している。第７の態様では、単独で、または、第１から第６の態様のうちの１つ以上と組み合わせて、パラメータは、ＣＳＩペイロードの最大サイズを表している。
【０１１４】
［０１２５］
第８の態様では、単独で、または、第１から第７の態様のうちの１つ以上と組み合わせて、ＣＳＩペイロードは、ＣＳＩ−部分１ペイロードとＣＳＩ−部分２ペイロードとを含んでいる。第９の態様では、単独で、または、第１から第８の態様のうちの１つ以上と組み合わせて、ＵＥは、ＣＳＩペイロードのサイズがＰＵＣＣＨリソースのセットの容量を超えることを決定するように構成され、ＣＳＩペイロードのサイズがＰＵＣＣＨリソースのセットの容量を超えることに少なくとも部分的に基づいて、ＣＳＩ−部分２ペイロードの１つ以上のブロックをドロップするように構成されている。第１０の態様では、単独で、または、第１から第９の態様のうちの１つ以上と組み合わせて、ＵＥは、ＣＳＩペイロードのサイズがＰＵＣＣＨリソースのセットの容量より小さいことを決定するように構成され、ＣＳＩペイロードのサイズがＰＵＣＣＨリソースのセットの容量より小さいことに少なくとも部分的に基づいて、ＣＳＩ−部分２ペイロードの１つ以上のブロックをＣＳＩペイロードにコピーするように構成されている。
【０１１５】
［０１２６］
第１１の態様では、単独で、または、第１から第１０の態様のうちの１つ以上と組み合わせて、パラメータは、ＣＳＩペイロードを構築することに関係付けられている１つ以上のしきい値に少なくとも部分的に基づいて構成可能である。第１２の態様では、単独で、または、第１から第１１の態様のうちの１つ以上と組み合わせて、ＣＳＩペイロードはスケジューリング要求を含んでいる。第１３の態様では、単独で、または、第１から第１２の態様のうちの１つ以上と組み合わせて、１つ以上のスケジューリング要求機会がＣＳＩペイロードの送信の間に送信されることになるとき、ＣＳＩペイロードの一部分はスケジューリング要求を含んでいる。第１４の態様では、単独で、または、第１から第１３の態様のうちの１つ以上と組み合わせて、１つ以上のスケジューリング要求機会の開始シンボルは、ＣＳＩペイロードと同じ開始シンボルである。第１５の態様では、単独で、または、第１から第１４の態様のうちの１つ以上と組み合わせて、スケジューリング要求のサイズは、ＣＳＩペイロードとオーバーラップするスケジューリング要求機会の数に少なくとも部分的に基づいている。第１６の態様では、単独で、または、第１から第１５の態様のうちの１つ以上と組み合わせて、スケジューリング要求を含むＣＳＩペイロードの一部分は１ビットである。第１７の態様では、単独で、または、第１から第１６の態様のうちの１つ以上と組み合わせて、スケジューリング要求を含むＣＳＩペイロードの一部分は、１つ以上のスケジューリング要求機会の数に対応するビット数である。
【０１１６】
［０１２７］
第１８の態様では、単独で、または、第１から第１７の態様のうちの１つ以上と組み合わせて、スケジューリング要求の１つ以上のビットは、１つ以上のリソース内でＣＳＩペイロードと多重化される。第１９の態様では、単独で、または、第１から第１８の態様のうちの１つ以上と組み合わせて、スケジューリング要求の１つ以上のビットは、１つ以上のリソースの指定されたリソース要素を占有し、ＣＳＩペイロードは、指定されたリソース要素ではない１つ以上のリソースの残りのリソース要素を占有している。第２０の態様では、単独で、または、第１から第１９の態様のうちの１つ以上と組み合わせて、ＵＥは、リソース要素マッピングまたはベータファクタのうちの少なくとも１つを使用して、スケジューリング要求とＣＳＩペイロードとの間に１つ以上のリソース要素を割り振るように構成されている。
【０１１７】
［０１２８］
図１０は、プロセス１０００の例示的なブロックを示しているが、いくつかの態様では、プロセス１０００は、追加のブロック、より少ないブロック、異なるブロック、または、図１０中に描いたものとは異なって構成されているブロックを含んでいてもよい。追加的にまたは代替的に、プロセス１０００のブロックのうちの２つ以上を並列に実行してもよい。
【０１１８】
［０１２９］
図１１は、本開示のさまざまな態様にしたがう、例えば、ＢＳによって実行される例示的なプロセス１１００を図示するダイヤグラムである。例示的なプロセス１１００は、どのＰＵＣＣＨリソースがＣＳＩを含んでいるかをＢＳ（例えば、ＢＳ１１０）が決定する例である。
【０１１９】
［０１３０］
図１１中に示すように、いくつかの態様では、プロセス１１００は、ユーザ機器（ＵＥ）からチャネル状態情報（ＣＳＩ）ペイロードを受信するのに使用されることになる物理アップリンク制御チャネル（ＰＵＣＣＨ）リソースのセットを表すパラメータを識別することを含んでいてもよく、ＣＳＩペイロードは、ＣＳＩ−部分１ペイロードとＣＳＩ−部分２ペイロードとを含んでいる（ブロック１１１０）。例えば、ＢＳ１１０は（例えば、ＭＩＭＯ検出器２３６、受信プロセッサ２３８、制御装置／プロセッサ２４０、および／または、これらに類するものを使用して）、ＵＥ１１０からＣＳＩペイロードを受信するためのパラメータを識別してもよい。いくつかの態様では、ＢＳ１１０は、パラメータを示す、パラメータを使用するように構成されている、および／または、これらに類するもののコンフィギュレーションを受信することに少なくとも部分的に基づいて、パラメータを識別してもよい。
【０１２０】
［０１３１］
図１１中にさらに示されているように、いくつかの態様では、プロセス１１００は、ＰＵＣＣＨリソースのセットの１つ以上のリソースを介して、ＣＳＩペイロードを受信することを含んでいてもよい（ブロック１１２０）。例えば、ＢＳ１１０は（例えば、ＭＩＭＯ検出器２３６、受信プロセッサ２３８、制御装置／プロセッサ２４０、および／または、これらに類するものを使用して）、ＵＥ１２０からＣＳＩペイロードを受信してもよい。いくつかの態様では、ＢＳ１１０は、パラメータを識別すること、および／または、これらに類するものに少なくとも部分的に基づいて、ＣＳＩペイロードを受信してもよい。
【０１２１】
［０１３２］
図１１中にさらに示されているように、いくつかの態様では、プロセス１１００は、ＣＳＩ−部分１ペイロードのインジケータに少なくとも部分的に基づいて、ＣＳＩペイロードのサイズを決定することを含んでいてもよい（ブロック１１３０）。例えば、ＢＳ１１０は（例えば、ＭＩＭＯ検出器２３６、受信プロセッサ２３８、制御装置／プロセッサ２４０、および／または、これらに類するものを使用して）、ＣＳＩペイロードのサイズを決定してもよい。いくつかの態様では、ＢＳ１１０は、ＣＳＩペイロードを受信することに少なくとも部分的に基づいて、ＣＳＩペイロードのサイズを決定してもよい。
【０１２２】
［０１３３］
図１１中にさらに示されているように、いくつかの態様では、プロセス１１００は、ＣＳＩペイロードのサイズに少なくとも部分的に基づいて、ＣＳＩペイロードをデコードすることを含んでいてもよい（ブロック１１４０）。例えば、ＢＳ１１０は（例えば、ＭＩＭＯ検出器２３６、受信プロセッサ２３８、制御装置／プロセッサ２４０、および／または、これらに類するものを使用して）、ＣＳＩペイロードをデコードしてもよい。いくつかの態様では、ＢＳ１１０は、ＣＳＩペイロードのサイズを決定することに少なくとも部分的に基づいて、ＣＳＩペイロードをデコードしてもよい。
【０１２３】
［０１３４］
プロセス１１００は、以下で説明する、任意の単一の態様または態様の任意の組み合わせ、および／または、ここでの他の箇所で説明する１つ以上の他のプロセスに関連するような、追加の態様を含んでいてもよい。
【０１２４】
［０１３５］
第１の態様では、パラメータは、パラメータのセットのうちの１つであり、パラメータのセットの各パラメータは、ＣＳＩペイロードを受信するために使用することができるＰＵＣＣＨリソースの対応するセットを示し、ＢＳは、ＰＵＣＣＨリソースの各セットの各ＰＵＣＣＨリソースを監視して、ＣＳＩペイロードを受信するように構成されている。第２の態様では、単独で、または、第１の態様と組み合わせて、パラメータは、ＢＳおよびＵＥに関係付けられているネットワークの仕様にしたがって予め定められているパラメータである。
【０１２５】
［０１３６］
図１１はプロセス１１００の例示的なブロックを示すが、いくつかの態様では、プロセス１１００は、追加のブロック、より少ないブロック、異なるブロック、または、図１１中に描いたものとは異なって構成されているブロックを含んでいてもよい。追加的にまたは代替的に、プロセス１１００のブロックのうちの２つ以上を並列に実行してもよい。
【０１２６】
［０１３７］
図１２は、本開示のさまざまな態様にしたがう、例えば、ＵＥによって実行される例示的なプロセス１２００を図示するダイヤグラムである。例示的なプロセス１２００は、ＣＳＩに対するＰＵＣＣＨリソースを選択することに関係付けられている動作をＵＥ（例えば、ＵＥ１２０および／またはこれらに類するもの）が実行する例である。
【０１２７】
［０１３８］
図１２中に示すように、いくつかの態様において、プロセス１２００は、チャネル状態情報（ＣＳＩ）ペイロードを構築するのに使用される第２のランクとは無関係である第１のランクに少なくとも部分的に基づいて、ＣＳＩペイロードを送信するのに使用されることになる物理アップリンク制御チャネル（ＰＵＣＣＨ）リソースのセットを決定することを含んでいてもよい（ブロック１２１０）。例えば、上記で説明したように、ＵＥは（例えば、受信プロセッサ２５８、送信プロセッサ２６４、制御装置／プロセッサ２８０、メモリ２８２、および／または、これらに類するものを使用して）、チャネル状態情報（ＣＳＩ）ペイロードを構築するのに使用される第２のランクとは無関係である第１のランクに少なくとも部分的に基づいて、ＣＳＩペイロードを送信するのに使用されることになる物理アップリンク制御チャネル（ＰＵＣＣＨ）リソースのセットを決定してもよい。
【０１２８】
［０１３９］
図１２中にさらに示すように、いくつかの態様では、プロセス１２００は、ＰＵＣＣＨリソースのセットからの１つ以上のリソースを使用して、ＣＳＩペイロードを基地局（ＢＳ）に送信することを含んでいてもよい（ブロック１２２０）。例えば、上記で説明したように、ＵＥは（例えば、受信プロセッサ２５８、送信プロセッサ２６４、制御装置／プロセッサ２８０、メモリ２８２、および／または、これらに類するものを使用して）、ＰＵＣＣＨリソースのセットからの１つ以上のリソースを使用して、ＣＳＩペイロードを基地局（ＢＳ）に送信してもよい。
【０１２９】
［０１４０］
プロセス１２００は、以下で説明する、任意の単一のインプリメンテーションまたは態様の任意の組み合わせ、および／または、ここでの他の箇所で説明する１つ以上の他のプロセスに関連するような、追加の態様を含んでいてもよい。
【０１３０】
［０１４１］
第１の態様において、第１のランクは、ＵＥのネットワークに関係付けられている仕様にしたがって予め定められている。第２の態様において、単独で、または、第１の態様と組み合わせて、第１のランクは第２のランクとは異なる。第３の態様において、単独で、または、第１から第２の態様のうちの１つ以上と組み合わせて、ＣＳＩペイロードのサイズにかかわらず、第１のランクは、ＣＳＩペイロードの最大サイズ、または、ＣＳＩペイロードの最小サイズに対応する。第４の態様において、単独で、または、第１から第３の態様のうちの１つ以上と組み合わせて、第１のランクは、ＣＳＩペイロードの最小サイズを表している。第５の態様において、単独で、または、第１から第４の態様のうちの１つ以上と組み合わせて、ＣＳＩペイロードは、ＣＳＩ−部分１ペイロードとＣＳＩ−部分２ペイロードとを含んでいる。
【０１３１】
［０１４２］
第６の態様において、単独で、または、第１から第５の態様のうちの１つ以上と組み合わせて、ＵＥは、ＣＳＩペイロードのサイズがＰＵＣＣＨリソースのセットの容量を超えることを決定するように構成され、ＣＳＩペイロードのサイズがＰＵＣＣＨリソースのセットの容量を超えることを決定することに少なくとも部分的に基づいて、ＣＳＩ−部分２ペイロードの１つ以上のブロックをドロップするように構成されている。第７の態様において、単独で、または、第１から第６の態様のうちの１つ以上と組み合わせて、ＵＥは、ＣＳＩペイロードのサイズがＰＵＣＣＨリソースのセットの容量より小さいことを決定するように構成され、ＣＳＩペイロードのサイズがＰＵＣＣＨリソースのセットの容量より小さいことを決定することに少なくとも部分的に基づいて、ＣＳＩ−部分２ペイロードの１つ以上のブロックをＣＳＩペイロードにコピーするように構成されている。
【０１３２】
［０１４３］
第８の態様において、単独で、または、第１から第７の態様のうちの１つ以上と組み合わせて、１つ以上のスケジューリング要求機会がＣＳＩペイロードの送信の間に送信されることになるとき、ＣＳＩペイロードの一部分はスケジューリング要求を含んでいる。第９の態様において、単独で、または、第１から第８の態様のうちの１つ以上と組み合わせて、スケジューリング要求のサイズは、ＣＳＩペイロードとオーバーラップするスケジューリング要求機会の数に少なくとも部分的に基づいている。第１０の態様において、単独で、または、第１から第９の態様のうちの１つ以上と組み合わせて、スケジューリング要求を含むＣＳＩペイロードの一部分は１ビットである。第１１の態様において、単独で、または、第１から第１０の態様のうちの１つ以上と組み合わせて、スケジューリング要求を含むＣＳＩペイロードの一部分は、１つ以上のスケジューリング要求機会の数に対応するビット数である。第１２の態様において、単独で、または、第１から第１１の態様のうちの１つ以上と組み合わせて、スケジューリング要求の１つ以上のビットは、１つ以上のリソース内でＣＳＩペイロードと多重化される。
【０１３３】
［０１４４］
図１２はプロセス１２００の例示的なブロックを示すが、いくつかの態様では、プロセス１２００は、追加のブロック、より少ないブロック、異なるブロック、または、図１２に描いたものとは異なって構成されているブロックを含んでいてもよい。追加的にまたは代替的に、プロセス１２００のブロックのうちの２つ以上を並列に実行してもよい。
【０１３４】
［０１４５］
上記の開示は、実例および説明を提供するが、網羅的であること、または、態様を開示した厳密な形態に限定することを意図するものではない。修正およびバリエーションは、上記の開示に照らして行われてもよく、または、態様の実施から取得してもよい。
【０１３５】
［０１４６］
ここで使用するように、コンポーネントという用語は、ハードウェア、ファームウェア、または、ハードウェアとソフトウェアとの組み合わせとして広く解釈されるように意図されている。ここで使用するように、プロセッサは、ハードウェア、ファームウェア、または、ハードウェアとソフトウェアとの組み合わせで実現してもよい。
【０１３６】
［０１４７］
ここで使用されるように、しきい値を満たすことは、しきい値よりも大きい、しきい値以上、しきい値未満、しきい値以下、しきい値に等しい、しきい値に等しくない、および／または、これらに類するものである値を指していてもよい。
【０１３７】
［０１４８］
ここで説明するシステムおよび／または方法は、ハードウェア、ファームウェア、または、ハードウェアとソフトウェアとの組み合わせの異なる形態で実現してもよいことが明らかになるだろう。これらのシステムおよび／または方法を実現するために使用される実際の専門制御ハードウェアまたはソフトウェアコードは、態様を限定しない。したがって、システムおよび／または方法の動作および挙動は、特定のソフトウェアコードを参照することなくここで説明されており、ソフトウェアおよびハードウェアは、ここでの説明に少なくとも部分的に基づいて、システムおよび／または方法を実現するように設計できることを理解されたい。
【０１３８】
［０１４９］
特徴の特定の組み合わせが特許請求の範囲に記載され、および／または、本明細書に開示されているが、これらの組み合わせは、さまざまな態様の開示を限定するように意図されていない。実際、これらの特徴の多くは、特許請求の範囲に具体的に記載されていない、および／または、本明細書に開示されていない方法で組み合わせてもよい。以下にリストアップされる各従属請求項は、１つの請求項のみに直接従属しているかもしれないが、さまざまな態様の開示は、請求項セット中のあらゆる他の請求項と組み合わせた各従属請求項を含んでいる。アイテムのリスト「のうちの少なくとも１つ」を指すフレーズは、単一のメンバーを含む、これらのアイテムの何らかの組み合わせのことを指している。例として、「ａ、ｂ、または、ｃのうちの少なくとも１つ」は、ａ、ｂ、ｃ、ａ−ｂ、ａ−ｃ、ｂ−ｃ、および、ａ−ｂ−ｃとともに、複数の同じ要素の任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、ａ、ｂ、および、ｃの他の何らかの順序）をカバーするように意図されている。
【０１３９】
［０１５０］
ここで使用される要素、動作、または、命令は、そのように明示的に説明されていない限り、重要または不可欠であるとして解釈すべきではない。また、ここで使用されるように、冠詞「ａ」および「ａｎ」は、１つ以上のアイテムを含むように意図され、「１つ以上」と交換可能に使用されているかもしれない。さらに、ここで使用されるように、「セット」および「グループ」という用語は、１つ以上のアイテム（例えば、関連アイテム、非関連アイテム、関連アイテムと非関連アイテムの組み合わせ等）を含むように意図され、「１つ以上」と交換可能に使用されているかもしれない。１つのアイテムのみが意図される場合、用語「１つのみ」または同様の言葉が使用される。また、ここで使用されるように、「有する（ｈａｓ）」、「有する（ｈａｖｅ）」、「有している（ｈａｖｉｎｇ）」、および／または、これらに類するもののような用語は、拡張可能な用語であるように意図されている。さらに、「に基づいて」というフレーズは、別な方法で明示的に述べられていない限り、「に少なくとも部分的に基づいて」を意味するように意図されている。
【図１】
2021520727.tif 000003
【図２】
2021520727.tif 000004
【図３Ａ】
2021520727.tif 000005
【図３Ｂ】
2021520727.tif 000006
【図４】
2021520727.tif 000007
【図５】
2021520727.tif 000008
【図６】
2021520727.tif 000009
【図７】
2021520727.tif 000010
【図８】
2021520727.tif 000011
【図９】
2021520727.tif 000012
【図１０】
2021520727.tif 000013
【図１１】
2021520727.tif 000014
【図１２】
2021520727.tif 000015
【国際調査報告】
2021520727.tif 000016
2021520727.tif 000017
2021520727.tif 000018